(57)【特許請求の範囲】
【請求項１】
担保にした証拠金以上の取引金額で外貨を取引する外国為替証拠金取引を行う顧客に使用される端末との間で通信を行う情報処理装置であって、
前記外国為替証拠金取引に用いられる為替レートを定期的または不定期に取得する為替レート取得部と、
前記顧客の銀行口座に預金されている外貨のうちから前記外国為替証拠金取引に用いる証拠金として入金された外貨を前記銀行口座の口座番号に関連付けて通貨毎に記憶する証拠金記憶部と、
前記外国為替証拠金取引に用いられた為替レートである第１為替レートと当該外国為替証拠金取引後に取得された為替レートである第２為替レートとに基づいて前記取引金額における評価損益を計算し、前記証拠金記憶部に証拠金として記憶されている外貨が前記第２為替レートに基づいて換算された値に当該評価損益を加味した有効証拠金を算出する有効証拠金算出部と、
前記取引金額に対して必要となる必要証拠金と前記有効証拠金との割合を示す証拠金維持率を算出する証拠金維持率算出部と、
警告通知を行うための警告通知基準値を記憶する警告通知基準値記憶部と、
前記有効証拠金算出部に対して前記有効証拠金の算出を促す有効証拠金算出トリガーを発生させる有効証拠金算出トリガー発生部と、
前記有効証拠金算出トリガーの発生に応じて算出された前記有効証拠金を用いて算出された前記証拠金維持率が前記警告通知基準値に達した場合には前記端末に警告通知情報を送信する警告通知情報送信部と
を具備する情報処理装置。
【請求項２】
前記証拠金記憶部は、前記顧客の銀行口座に預金されている円および外貨のうちから前記証拠金として入金された円または外貨を前記口座番号に関連付けて通貨毎に記憶し、
前記有効証拠金算出部は、前記第１為替レートおよび前記第２為替レートに基づいて前記取引金額における評価損益を円に換算して計算し、前記証拠金記憶部に証拠金として記憶されている外貨が前記第２為替レートに基づいて円に換算された値と前記証拠金記憶部に証拠金として記憶されている円との合計値に当該評価損益を加味した前記有効証拠金を算出する
請求項１記載の情報処理装置。
【請求項３】
前記顧客の銀行口座から前記証拠金を管理するための特定口座に前記証拠金を入金するための口座振替を行うための口座振替画面の表示要求を前記端末から受信する口座振替情報要求受信部と、
前記顧客の銀行口座に預金されている円および外貨の預金残高と、当該銀行口座の口座番号に関連付けて前記証拠金記憶部に記憶されている証拠金とを取得する取得部と、
前記口座振替画面の表示要求を受信した場合には、前記取得された円および外貨の預金残高と、前記取得された証拠金と、前記口座振替を行う通貨を選択する選択操作を行うための振替通貨選択領域と、前記口座振替に係る振替金額を入力するための振替金額入力領域とを含む前記口座振替画面を前記端末に表示させる表示制御部と
をさらに具備する請求項１記載の情報処理装置。
【請求項４】
前記外国為替証拠金取引の対象となる通貨の組合せを選択する通貨組合せ選択領域と、前記通貨の組合せによる注文数量を入力する注文数量入力領域と、前記為替レート取得部により取得された最新の為替レートに基づいて作成される約定為替レートのうちの前記通貨組合せ選択領域で選択された通貨の組合せに対応する売値が表示されるボタンであって売り注文指示を行うための売り注文指示発注ボタンと、当該為替レートに基づいて作成される約定為替レートのうちの前記通貨組合せ選択領域で選択された通貨の組合せに対応する買値が表示されるボタンであって買い注文指示を行うための買い注文指示発注ボタンとを含む取引画面を前記端末に表示させる表示制御部をさらに具備し、
前記取引画面において、前記通貨組合せ選択領域における通貨の組合せの選択と前記注文数量入力領域における注文数量の入力とが行われたことを条件に前記売り注文指示発注ボタンおよび前記買い注文指示発注ボタンの操作を可能とし、前記売り注文指示発注ボタンおよび前記買い注文指示発注ボタンのうちの何れかの操作が行われた際に当該操作が行われたボタンに表示されていた売値または買値を当該操作による注文指示に係る約定為替レートとして確定させる
請求項１記載の情報処理装置。
【請求項５】
前記有効証拠金算出トリガー発生部は、前記有効証拠金算出トリガーを一定間隔で発生させ、
前記一定間隔を変更するための一定間隔変更基準値を記憶する一定間隔変更基準値記憶部をさらに具備し、
前記有効証拠金算出トリガー発生部は、前記有効証拠金算出トリガーの発生に応じて算出された前記有効証拠金を用いて算出された前記証拠金維持率が前記一定間隔変更基準値に達した場合には前記有効証拠金算出トリガーを発生させる間隔を前記一定間隔よりも短い間隔に設定する
請求項１記載の情報処理装置。
【請求項６】
担保にした証拠金以上の取引金額で外貨を取引する外国為替証拠金取引を行う顧客に使用される端末との間で通信を行う情報処理装置であって、
前記外国為替証拠金取引に用いられる為替レートを取得する為替レート取得部と、
前記外国為替証拠金取引の対象となる通貨の組合せを選択する通貨組合せ選択領域と、前記通貨の組合せによる注文数量を入力する注文数量入力領域と、前記取得された最新の為替レートに基づいて作成される約定為替レートのうちの前記通貨組合せ選択領域で選択された通貨の組合せに対応する売値が表示されるボタンであって売り注文指示を行うための売り注文指示発注ボタンと、当該為替レートに基づいて作成される約定為替レートのうちの前記通貨組合せ選択領域で選択された通貨の組合せに対応する買値が表示されるボタンであって買い注文指示を行うための買い注文指示発注ボタンとを含む取引画面を前記端末に表示させる表示制御部と、
前記取引画面において、前記通貨組合せ選択領域における通貨の組合せの選択と前記注文数量入力領域における注文数量の入力とが行われたことを条件に前記売り注文指示発注ボタンおよび前記買い注文指示発注ボタンの操作を可能とし、前記売り注文指示発注ボタンおよび前記買い注文指示発注ボタンのうちの何れかの操作が行われた際に当該操作が行われたボタンに表示されていた売値または買値を当該操作による注文指示に係る約定為替レートとして確定させる制御部と
を具備する情報処理装置。
【請求項７】
担保にした証拠金以上の取引金額で外貨を取引する外国為替証拠金取引を行う顧客に使用される端末との間で通信を行う情報処理システムにおける情報処理方法であって、
前記外国為替証拠金取引に用いられる為替レートを定期的または不定期に取得する為替レート取得手順と、
前記外国為替証拠金取引に用いられた為替レートである第１為替レートと当該外国為替証拠金取引後に取得された為替レートである第２為替レートとに基づいて前記取引金額における評価損益を計算し、前記顧客の銀行口座に預金されている外貨のうちから前記外国為替証拠金取引に用いる証拠金として入金された外貨を前記銀行口座の口座番号に関連付けて通貨毎に記憶する証拠金記憶部に証拠金として記憶されている外貨が前記第２為替レートに基づいて換算された値に当該評価損益を加味した有効証拠金を算出する有効証拠金算出手順と、
前記取引金額に対して必要となる必要証拠金と前記有効証拠金との割合を示す証拠金維持率を算出する証拠金維持率算出手順と、
前記有効証拠金の算出を促す有効証拠金算出トリガーを発生させる有効証拠金算出トリガー発生手順と、
前記有効証拠金算出トリガーの発生に応じて算出された前記有効証拠金を用いて算出された前記証拠金維持率が警告通知基準値に達した場合には、前記端末に警告通知情報を送信する警告通知情報送信手順と
を具備する情報処理方法。
【請求項８】
担保にした証拠金以上の取引金額で外貨を取引する外国為替証拠金取引を行う顧客に使用される端末との間で通信を行う情報処理システムにおける情報処理方法であって、
前記外国為替証拠金取引に用いられる為替レートを取得する第１手順と、
前記外国為替証拠金取引の対象となる通貨の組合せを選択する通貨組合せ選択領域と、前記通貨の組合せによる注文数量を入力する注文数量入力領域と、前記取得された最新の為替レートに基づいて作成される約定為替レートのうちの前記通貨組合せ選択領域で選択された通貨の組合せに対応する売値が表示されるボタンであって売り注文指示を行うための売り注文指示発注ボタンと、当該為替レートに基づいて作成される約定為替レートのうちの前記通貨組合せ選択領域で選択された通貨の組合せに対応する買値が表示されるボタンであって買い注文指示を行うための買い注文指示発注ボタンとを含む取引画面を前記端末に表示させる第２手順と、
前記取引画面において、前記通貨組合せ選択領域における通貨の組合せの選択と前記注文数量入力領域における注文数量の入力とが行われたことを条件に前記売り注文指示発注ボタンおよび前記買い注文指示発注ボタンの操作を可能とし、前記売り注文指示発注ボタンおよび前記買い注文指示発注ボタンのうちの何れかの操作が行われた際に当該操作が行われたボタンに表示されていた売値または買値を当該操作による注文指示に係る約定為替レートとして確定させる第３手順と
を具備する情報処理方法。
【発明の詳細な説明】
【技術分野】
【０００１】
本発明は、情報処理装置に関し、特に、顧客に使用される端末との間で外国為替証拠金取引を行う情報処理装置および情報処理方法に関する。
【背景技術】
【０００２】
近年、インターネット等のネットワーク技術が向上し、各情報を高速で通信することが可能となるとともに、この通信についての信頼性が向上している。このため、例えば、インターネットを介して自宅のパソコン（パーソナルコンピュータ）と商取引システムとを接続し、自宅のパソコンから商取引システムとの間で各取引をすることができるオンラインサービスが普及している。
【０００３】
また、最近では、顧客が一定の証拠金を預けることにより信用を供与してもらい、少ない自己資金で大きな資金を取引することが可能な外国為替証拠金取引（ＦＸ）が行われている。この外国為替証拠金取引は、以前は、許可を受けた銀行等の一部の事業者のみしか行うことができなかった。しかし、１９９８年の「外国為替及び外国貿易法」の改正により、銀行等の金融機関以外の取引会社等も外国為替市場（インターバンク市場）に参加することが可能となり、我が国において取引が広く行われるようになった。
【０００４】
このため、外国為替証拠金取引についても、ネットワークを介したオンライン取引が広く行われている。例えば、インターネットを介して自宅のパソコンと外国為替証拠金取引会社の外国為替証拠金取引システムとを接続し、自宅のパソコンから外国為替証拠金取引の注文等を行うことができるオンライン取引サービスが普及している。
【０００５】
また、例えば、外貨について売りまたは買いのポジションを注文する証拠金取引を管理し、追加証拠金の必要がない為替レートの下限（限界為替レート）等を求めて、これを顧客に提供する証拠金取引管理装置が提案されている（例えば、特許文献１参照。）。
【先行技術文献】
【特許文献】
【０００６】
【特許文献１】特開２００４−２３４１９７号公報
【発明の概要】
【発明が解決しようとする課題】
【０００７】
上述の従来技術によれば、為替レートの下限（限界為替レート）等を顧客に提供することにより、顧客が追加証拠金を免れることができる。
【０００８】
ここで、円以外の外貨についても証拠金として用いることも考えられる。この場合には、為替レートの変動により証拠金が変動するため、外国為替証拠金取引を安全かつ円滑に行うことが重要である。
【０００９】
そこで、本発明は、外国為替証拠金取引を安全かつ円滑に行うことを目的とする。
【課題を解決するための手段】
【００１０】
本発明は、上記課題を解決するためになされたものであり、その第１の側面は、担保にした証拠金以上の取引金額で外貨を取引する外国為替証拠金取引を行う顧客に使用される端末との間で通信を行う情報処理装置であって、上記外国為替証拠金取引に用いられる為替レートを定期的または不定期に取得する為替レート取得部と、上記顧客の銀行口座に預金されている外貨のうちから上記外国為替証拠金取引に用いる証拠金として入金された外貨を上記銀行口座の口座番号に関連付けて通貨毎に記憶する証拠金記憶部と、上記外国為替証拠金取引に用いられた為替レートである第１為替レートと当該外国為替証拠金取引後に取得された為替レートである第２為替レートとに基づいて上記取引金額における評価損益を計算し、上記証拠金記憶部に証拠金として記憶されている外貨が上記第２為替レートに基づいて換算された値に当該評価損益を加味した有効証拠金を算出する有効証拠金算出部と、上記取引金額に対して必要となる必要証拠金と上記有効証拠金との割合を示す証拠金維持率を算出する証拠金維持率算出部と、警告通知を行うための警告通知基準値を記憶する警告通知基準値記憶部と、上記有効証拠金算出部に対して上記有効証拠金の算出を促す有効証拠金算出トリガーを発生させる有効証拠金算出トリガー発生部と、上記有効証拠金算出トリガーの発生に応じて算出された上記有効証拠金を用いて算出された上記証拠金維持率が上記警告通知基準値に達した場合には上記端末に警告通知情報を送信する警告通知情報送信部とを具備する情報処理装置およびその情報処理方法ならびに当該方法をコンピュータに実行させるプログラムである。これにより、有効証拠金算出トリガーの発生に応じて算出された有効証拠金を用いて算出された証拠金維持率が、警告通知基準値に達した場合には、端末に警告通知情報を送信するという作用をもたらす。
【００１１】
また、この第１の側面において、上記有効証拠金算出部は、上記取引金額における評価損益を円に換算して計算し、上記証拠金記憶部に証拠金として記憶されている外貨が上記第２為替レートに基づいて円に換算された値に当該評価損益を加味した有効証拠金を算出するようにしてもよい。また、この第１の側面において、上記取引金額に対して必要となる必要証拠金を、予め設定されているレバレッジ倍率と上記取引金額との乗算により算出する必要証拠金算出部をさらに具備するようにしてもよい。
【００１２】
また、この第１の側面において、上記証拠金記憶部は、上記顧客の銀行口座に預金されている円および外貨のうちから上記証拠金として入金された円または外貨を上記口座番号に関連付けて通貨毎に記憶し、上記有効証拠金算出部は、上記第１為替レートおよび上記第２為替レートに基づいて上記取引金額における評価損益を円に換算して計算し、上記証拠金記憶部に証拠金として記憶されている外貨が上記第２為替レートに基づいて円に換算された値と上記証拠金記憶部に証拠金として記憶されている円との合計値に当該評価損益を加味した上記有効証拠金を算出するようにしてもよい。これにより、第１為替レートおよび第２為替レートに基づいて取引金額における評価損益を円に換算して計算し、証拠金として記憶されている外貨が第２為替レートに基づいて円に換算された値と、証拠金として記憶されている円との合計値にその評価損益を加味した有効証拠金を算出するという作用をもたらす。また、この場合において、上記外国為替証拠金取引に用いる表示画面の表示要求を上記端末から受信する表示要求受信部と、上記表示要求を受信した場合に、上記合計値を含む上記表示画面を上記端末に表示させる表示制御部とをさらに具備するようにしてもよい。
【００１３】
また、この第１の側面において、上記顧客の銀行口座から上記証拠金を管理するための特定口座に上記証拠金を入金するための口座振替を行うための口座振替画面の表示要求を上記端末から受信する口座振替情報要求受信部と、上記顧客の銀行口座に預金されている円および外貨の預金残高と、当該銀行口座の口座番号に関連付けて上記証拠金記憶部に記憶されている証拠金とを取得する取得部と、上記口座振替画面の表示要求を受信した場合には、上記取得された円および外貨の預金残高と、上記取得された証拠金と、上記口座振替を行う通貨を選択する選択操作を行うための振替通貨選択領域と、上記口座振替に係る振替金額を入力するための振替金額入力領域とを含む上記口座振替画面を上記端末に表示させる表示制御部とをさらに具備するようにしてもよい。これにより、顧客の銀行口座に預金されている円および外貨の預金残高と、その銀行口座の口座番号に関連付けて記憶されている証拠金とを取得し、口座振替画面の表示要求を受信した場合には、その取得された円および外貨の預金残高と、その取得された証拠金と、口座振替を行う通貨を選択する選択操作を行うための振替通貨選択領域と、口座振替に係る振替金額を入力するための振替金額入力領域とを含む口座振替画面を端末に表示させるという作用をもたらす。
【００１４】
また、この第１の側面において、上記外国為替証拠金取引の対象となる通貨の組合せを選択する通貨組合せ選択領域と、上記通貨の組合せによる注文数量を入力する注文数量入力領域と、上記為替レート取得部により取得された最新の為替レートに基づいて作成される約定為替レートのうちの上記通貨組合せ選択領域で選択された通貨の組合せに対応する売値が表示されるボタンであって売り注文指示を行うための売り注文指示発注ボタンと、当該為替レートに基づいて作成される約定為替レートのうちの上記通貨組合せ選択領域で選択された通貨の組合せに対応する買値が表示されるボタンであって買い注文指示を行うための買い注文指示発注ボタンとを含む取引画面を上記端末に表示させる表示制御部をさらに具備し、上記取引画面において、上記通貨組合せ選択領域における通貨の組合せの選択と上記注文数量入力領域における注文数量の入力とが行われたことを条件に上記売り注文指示発注ボタンおよび上記買い注文指示発注ボタンの操作を可能とし、上記売り注文指示発注ボタンおよび上記買い注文指示発注ボタンのうちの何れかの操作が行われた際に当該操作が行われたボタンに表示されていた売値または買値を当該操作による注文指示に係る約定為替レートとして確定させるようにしてもよい。これにより、売り注文指示発注ボタンおよび買い注文指示発注ボタンの操作可能な状態で売り注文指示発注ボタンおよび買い注文指示発注ボタンのうちの何れかの操作が行われた際にその操作が行われたボタンに表示されていた売値または買値をその操作による注文指示に係る約定為替レートとして確定させるという作用をもたらす。
【００１５】
また、この第１の側面において、上記有効証拠金算出トリガー発生部は、上記有効証拠金算出トリガーを一定間隔で発生させ、上記一定間隔を変更するための一定間隔変更基準値を記憶する一定間隔変更基準値記憶部をさらに具備し、上記有効証拠金算出トリガー発生部は、上記有効証拠金算出トリガーの発生に応じて算出された上記有効証拠金を用いて算出された上記証拠金維持率が上記一定間隔変更基準値に達した場合には上記有効証拠金算出トリガーを発生させる間隔を上記一定間隔よりも短い間隔に設定するようにしてもよい。これにより、有効証拠金算出トリガーの発生に応じて算出された有効証拠金を用いて算出された証拠金維持率が一定間隔変更基準値に達した場合には、有効証拠金算出トリガーを発生させる間隔を一定間隔よりも短い間隔に設定するという作用をもたらす。
【００１６】
また、本発明の第２の側面は、担保にした証拠金以上の取引金額で外貨を取引する外国為替証拠金取引を行う顧客に使用される端末との間で通信を行う情報処理装置であって、上記外国為替証拠金取引に用いられる為替レートを取得する為替レート取得部と、上記外国為替証拠金取引の対象となる通貨の組合せを選択する通貨組合せ選択領域と、上記通貨の組合せによる注文数量を入力する注文数量入力領域と、上記取得された最新の為替レートに基づいて作成される約定為替レートのうちの上記通貨組合せ選択領域で選択された通貨の組合せに対応する売値が表示されるボタンであって売り注文指示を行うための売り注文指示発注ボタンと、当該為替レートに基づいて作成される約定為替レートのうちの上記通貨組合せ選択領域で選択された通貨の組合せに対応する買値が表示されるボタンであって買い注文指示を行うための買い注文指示発注ボタンとを含む取引画面を上記端末に表示させる表示制御部と、上記取引画面において、上記通貨組合せ選択領域における通貨の組合せの選択と上記注文数量入力領域における注文数量の入力とが行われたことを条件に上記売り注文指示発注ボタンおよび上記買い注文指示発注ボタンの操作を可能とし、上記売り注文指示発注ボタンおよび上記買い注文指示発注ボタンのうちの何れかの操作が行われた際に当該操作が行われたボタンに表示されていた売値または買値を当該操作による注文指示に係る約定為替レートとして確定させる制御部とを具備する情報処理装置およびその情報処理方法ならびに当該方法をコンピュータに実行させるプログラムである。これにより、売り注文指示発注ボタンおよび買い注文指示発注ボタンの操作可能な状態で売り注文指示発注ボタンおよび買い注文指示発注ボタンのうちの何れかの操作が行われた際にその操作が行われたボタンに表示されていた売値または買値をその操作による注文指示に係る約定為替レートとして確定させるという作用をもたらす。
【発明の効果】
【００２７】
本発明によれば、外国為替証拠金取引を安全かつ円滑に行うことができるという優れた効果を奏し得る。
【図面の簡単な説明】
【００２８】
【図１】本発明の実施の形態における外国為替証拠金取引システム１００の構成例を示すブロック図である。
【図２】外国為替証拠金取引の概略を示す図である。
【図３】為替レートが変更した場合における取引金額の増減を概略的に示す図である。
【図４】本発明の実施の形態における顧客端末２００の機能構成例を示すブロック図である。
【図５】本発明の実施の形態における銀行サーバ３００の機能構成例を示すブロック図である。
【図６】本発明の実施の形態におけるＦＸサーバ４００の機能構成例を示すブロック図である。
【図７】銀行１１０およびＦＸ会社１２０が所有する顧客管理情報の概略を示す図である。
【図８】普通預金口座データベース３５０に格納されている普通預金口座情報と、外貨預金口座データベース３６０に格納されている外貨預金口座情報とを概略的に示す図である。
【図９】本発明の実施の形態におけるＦＸ証拠金データベース４５０を概略的に示す図である。
【図１０】本発明の実施の形態におけるＦＸ取引実績データベース４６０を概略的に示す図である。
【図１１】本発明の実施の形態における顧客端末２００からＦＸサーバ４００にログインする場合における表示画面の遷移を示す図である。
【図１２】ネットワーク１４０を介して顧客端末２００がＦＸサーバ４００にログインしている状態で、口座振替を行うための表示画面の遷移を示す図である。
【図１３】ネットワーク１４０を介して顧客端末２００がＦＸサーバ４００にログインしている状態で、口座振替を行うための表示画面の遷移を示す図である。
【図１４】ネットワーク１４０を介して顧客端末２００がＦＸサーバ４００にログインしている場合における口座振替処理を示すシーケンスチャートである。
【図１５】入金処理により書換が行われたＦＸ証拠金データベース４５０の例を示す図である。
【図１６】ネットワーク１４０を介して顧客端末２００がＦＸサーバ４００にログインしている状態で、口座振替を行うための表示画面の遷移を示す図である。
【図１７】ネットワーク１４０を介して顧客端末２００がＦＸサーバ４００にログインしている状態で、口座振替を行うための表示画面の遷移を示す図である。
【図１８】ネットワーク１４０を介して顧客端末２００がＦＸサーバ４００にログインしている場合における口座振替処理を示すシーケンスチャートである。
【図１９】本発明の実施の形態における取引状況確認画面の一例を示す図である。
【図２０】ネットワーク１４０を介して顧客端末２００がＦＸサーバ４００にログインしている状態で外国為替証拠金取引を行うための表示画面の一例を示す図である。
【図２１】注文発注内容表示領域７１１に表示されている内容で外国為替証拠金取引処理が実行された場合におけるＦＸ取引実績データベース４６０を示す図である。
【図２２】本発明の実施の形態における取引状況確認画面の一例を示す図である。
【図２３】外国為替証拠金取引後の取引金額、有効証拠金および為替レートの関係を概略的に示す図である。
【図２４】本発明の実施の形態における取引状況確認画面の一例を示す図である。
【図２５】ネットワーク１４０を介して顧客端末２００がＦＸサーバ４００にログインしている状態で外国為替証拠金取引を行うための表示画面の一例を示す図である。
【図２６】外国為替証拠金取引画面７２０において入力または選択された内容に基づいて、必要証拠金および不足金額を算出する算出方法の概略を示す図である。
【図２７】外国為替証拠金取引画面７２０において入力または選択等がされた取引内容で取引注文を行うための外国為替注文発注画面７３０を示す図である。
【図２８】外国為替証拠金取引画面７２０において入力または選択等がされた取引内容では取引注文が行えない旨を通知するための証拠金不足通知画面７４０を示す図である。
【図２９】最低レバレッジ倍率を顧客が設定するための表示画面の一例を示す図である。
【図３０】取引レバレッジ倍率および銀行預金リミット金額を顧客が設定するための表示画面の一例を示す図である。
【図３１】本発明の実施の形態におけるロスカット情報保持部４９４を模式的に示す図である。
【図３２】本発明の実施の形態におけるＦＸサーバ４００による取引状況確認画面情報送信処理の処理手順を示すフローチャートである。
【図３３】本発明の実施の形態におけるＦＸサーバ４００による証拠金不足通知画面情報送信処理の処理手順を示すフローチャートである。
【図３４】本発明の実施の形態におけるＦＸサーバ４００による最低レバレッジ倍率到達通知送信処理の処理手順を示すフローチャートである。
【図３５】本発明の実施の形態におけるＦＸサーバ４００による証拠金自動振替処理の処理手順を示すフローチャートである。
【図３６】本発明の実施の形態におけるＦＸサーバ４００によるロスカット実行処理の処理手順を示すフローチャートである。
【図３７】本発明の実施の形態におけるＦＸサーバ４００によるロスカット実行処理の処理手順を示すフローチャートである。
【図３８】表示部２６０に表示（８５５）される表示画面の一例である外国為替証拠金取引画面７７０を示す図である。
【図３９】表示部２６０に表示（８５７）される表示画面の一例である外国為替注文発注画面７８０を示す図である。
【図４０】表示部２６０に表示（８５７）される表示画面の一例である外国為替取引結果通知画面８００を示す図である。
【図４１】ネットワーク１４０を介して顧客端末２００がＦＸサーバ４００にログインしている場合における外国為替証拠金取引処理を示すシーケンスチャートである。
【図４２】本発明の実施の形態における顧客端末２００による外国為替証拠金取引処理の処理手順を示すフローチャートである。
【発明を実施するための形態】
【００２９】
次に本発明の実施の形態について図面を参照して詳細に説明する。
【００３０】
図１は、本発明の実施の形態における外国為替証拠金取引システム１００の構成例を示すブロック図である。図１では、外国為替証拠金取引システム１００において、ユーザ１５０が、顧客端末２００を用いてＦＸ（Foreign Exchange：外国為替証拠金取引）会社１２０との間で外国為替証拠金取引をする場合における全体構成を概略的に示す。ここで、外国為替証拠金取引は、一般に、外国為替保証金取引、通貨証拠金取引、ＦＸ（Foreign Exchange）等と称されることが多いが、本願明細書では、外国為替証拠金取引またはＦＸの用語を用いて説明する。なお、外国為替証拠金取引の概要については、図２および図３を参照して詳細に説明する。
【００３１】
外国為替証拠金取引システム１００は、顧客端末２００と、銀行サーバ３００と、ＦＸサーバ４００とを備える。ここで、銀行サーバ３００は銀行１１０に設けられ、ＦＸサーバ４００はＦＸ会社１２０に設けられているものとする。ここで、銀行１１０は、都市銀行、地方銀行、金融公庫、信用金庫等の金融機関を意味するものとする。また、ＦＸ会社１２０は、外国為替市場１６０に参加して外国為替取引を行うとともに、外国為替市場１６０から各通貨に関する為替レートを順次取得する外国為替証拠金取引会社である。また、顧客端末２００と、銀行サーバ３００と、ＦＸサーバ４００とのそれぞれは、インターネット等の通信網であるネットワーク１４０と接続され、各種情報のやりとりを行うことができる。さらに、銀行サーバ３００とＦＸサーバ４００とは、相互に機密性の高い通信を行うための専用回線１３０で接続されている。また、ＦＸサーバ４００および外国為替市場１６０は、電話回線や他の通信回線（インターネット等の通信網を含む）で接続される。
【００３２】
ここで、外国為替市場とは、異なる通貨の取引が行われている市場を意味し、一般には、これらの取引が総称されて外国為替市場と呼ばれている。なお、外国為替市場は、主に個人投資家および銀行間での取引（対顧客市場）と、主に銀行間での直接取引（インターバンク市場）とに分類されて呼ばれることもあるが、本願明細書では、インターバンク市場を外国為替市場と称して説明する。なお、以前は、許可を受けた銀行等の一部の事業者のみしか外国為替証拠金取引を行うことができなかった。しかし、１９９８年の「外国為替及び外国貿易法」の改正により、銀行等の金融機関以外のＦＸ会社１２０等も外国為替市場（インターバンク市場）に参加することが可能となった。
【００３３】
なお、図１では、ＦＸサーバ４００がＦＸ会社１２０内に設置されている場合を一例として示すが、ＦＸサーバ４００がＦＸ会社１２０とは物理的に離れている場所に設置されている場合についても同様に考えることができる。また、銀行１１０と銀行サーバ３００との関係についても同様である。また、本発明の実施の形態では、ユーザ１５０として、銀行１１０およびＦＸ会社１２０に口座を開設している甲田一郎を例にして説明する。
【００３４】
なお、本発明の実施の形態では、１つの銀行に１つの銀行サーバが設定され、１つのＦＸ会社に１つのＦＸサーバが設定されている場合において、顧客端末と、その銀行サーバと、そのＦＸサーバとの間で行われる外国為替証拠金取引システムを例にして説明するが、１または複数の情報処理装置からなる銀行システムが１つの銀行に構築され、１または複数の情報処理装置からなるＦＸシステムが１つのＦＸ会社に構築されている場合において、顧客端末と、その銀行システムと、そのＦＸシステムとの間で行われる外国為替証拠金取引システムについて、本発明の実施の形態を適用することができる。また、その銀行システムを銀行サーバとして機能させる場合、または、そのＦＸシステムをＦＸサーバとして機能させる場合についても、本発明の実施の形態を適用することができる。また、本発明の実施の形態では、１つの顧客端末と１つの銀行サーバと１つのＦＸサーバとのやりとりを例にして説明するが、複数の顧客端末と銀行サーバとＦＸサーバとのやりとりについても適用することができる。
【００３５】
次に、外国為替証拠金取引について図面を参照して詳細に説明する。
【００３６】
図２は、外国為替証拠金取引の概略を示す図である。図２では、ユーザ１５１乃至１５３が、顧客端末２０１乃至２０３を用いて、ＦＸ会社１２１との間で外国為替証拠金取引を行う場合を簡略化して示す。ここで、外国為替証拠金取引（ＦＸ）は、顧客が一定の証拠金をＦＸ会社に預けることにより信用を供与してもらい、少ない自己資金で大きな資金を取引することが可能な外国為替取引である。また、一般に、このような取引をレバレッジ（「てこ」を意味する）を効かせる取引と表現されることが多い。ここで、証拠金（預り証拠金）とは、顧客がＦＸ会社との間で外国為替証拠金取引を行う場合に、取引の契約義務履行を確保するためにＦＸ会社に差入れる担保金を意味する。なお、図２では、外国為替市場１６０の為替レートが「１ＵＳドル＝１００円」である場合において、日本円を用いて、外貨としてＵＳドル（米ドル）を購入する場合を例にして説明する。また、外国為替証拠金取引を行う場合には、取引手数料、為替手数料、スワップポイント（金利差益）等が発生するが、本発明の実施の形態では、特に明示しない限り、これらを考慮せずに説明する。なお、各図の一部では、「ＵＳドル」を明示する際に、「ＵＳ」を省略して「ドル」のみを明示する。
【００３７】
ここで、ＦＸ会社１２１は、ユーザ１５１乃至１５３に対して「最大レバレッジ倍率：１０倍」を設定しているものとする。この最大レバレッジ倍率は、外国為替取引を開始する際に最低限必要となる証拠金（必要証拠金）を求める際に用いられる値であり、各ＦＸ会社により上限値が設定される。すなわち、必要証拠金は、外国為替証拠金取引における取引金額に対して必要となる証拠金額であり、外国為替証拠金取引の取引開始時に最大レバレッジ倍率により確定される金額である。例えば、最大レバレッジ倍率が「１０倍」に設定されている場合には、ユーザ１５１乃至１５３は、証拠金としてＦＸ会社１２１に預け入れた自己資金の１０倍の資金を取引することが可能である。なお、取引開始後の為替レートの変動によっては、以下で説明するように、最大レバレッジ倍率を超えた取引が行われる可能性もある。
【００３８】
また、ポジション（建玉）は、外国為替取引において売買を行った後に、未だ決済されていない約定済みの売買契約である。例えば、外国為替取引において買い注文を行った場合のポジションを「買いポジション」と称し、外国為替取引において売り注文を行った場合のポジションを「売りポジション」を称することもある。
【００３９】
例えば、図２に示すように、ユーザ１５１乃至１５３がＦＸ会社１２１に、証拠金として、それぞれ１０万円、２０万円、３０万円を入金したものとする。この場合に、為替レートが「１ＵＳドル＝１００円」であるとともに、「最大レバレッジ倍率：１０倍」であるため、ユーザ１５１は０〜１００万円までの範囲内において外国為替取引を行うことができる。例えば、ユーザ１５１が、外貨としてＵＳドルを外国為替証拠金取引により購入する場合には、最大で１万ＵＳドルを購入することができる。すなわち、通常の外国為替取引では、ユーザ１５１が、自己資金１０万円を用いて１千ＵＳドルしか購入することができないのに対し、外国為替証拠金取引では、自己資金１０万円の１０倍（最大で１万ＵＳドル）の取引を行うことができる。また、同様に、例えば、ユーザ１５２が、ＵＳドルを外国為替証拠金取引により購入する場合には、最大で２万ＵＳドルを購入することができ、ユーザ１５３が、ＵＳドルを外国為替証拠金取引により購入する場合には、最大で３万ＵＳドルを購入することができる。このように、ユーザ１５１乃至１５３の証拠金により取引が可能な取引可能額の大きさを、それぞれ点線１２２乃至１２４で示す。なお、図２では、各証拠金が入金された時点における証拠金の大きさ、および、取引可能金額の大きさを矩形状で簡略化して示すものとする。
【００４０】
このように、外国為替証拠金取引を行うことにより、ユーザが少ない自己資金で大きな資金を移動させることができる。このため、図３で示すように、為替レートの変動に応じて、取引後の資金の値が変動し、自己資金のみの取引に比べて、損益の額が大きくなる。
【００４１】
図３は、為替レートが変更した場合における取引金額の増減を概略的に示す図である。図３には、図２に示す条件でユーザ１５２により取引可能金額の範囲内の金額（１万ＵＳドル）の買い注文がされた場合において、為替レートが上下に変動した場合を例にして示す。すなわち、図３（ｂ）には、図２に示す条件（為替レートが「１ＵＳドル＝１００円」）で取引を行った状態（取引開始時の状態）を示す。そして、図３（ａ）では、為替レートが「１ＵＳドル＝１１０円」に変動した場合を示し、図３（ｃ）では、為替レートが「１ＵＳドル＝９０円」に変動した場合を示す。なお、図３で示す例では、ＦＸ会社１２１により最大レバレッジ倍率が「１０倍」に設定されているため、取引開始時の取引金額「１万ＵＳドル（１００万円）」に対する必要証拠金は「１０万円」である。
【００４２】
図３（ａ）に示すように、為替レートが「１ＵＳドル＝１１０円」となった場合には、既に購入されている１万ＵＳドルを日本円に換算すると「１１０万円」となる。この為替レート（１ＵＳドル＝１１０円）の状態でドル売り円買いの取引を行うことにより、ユーザ１５２の取引後の金額が１１０万円となるため、ユーザ１５２は１０万円（１１０万−１００万）の利益を得ることができる。一方、図３（ｃ）に示すように、為替レートが「１ＵＳドル＝９０円」となった場合には、既に購入されている１万ＵＳドルを日本円に換算すると「９０万円」となる。この為替レート（１ＵＳドル＝９０円）の状態でドル売り円買いの取引を行うことにより、ユーザ１５１の取引後の金額が９０万円となるため、ユーザ１５２は１０万円（１００万−９０万）の損害を受けることになる。このように、外国為替証拠金取引では、各種損益が発生する。そこで、預り証拠金に評価損益（為替レートの変動による損益、スワップポイント、各種手数料等を含む）を加味した金額を、有効証拠金とする。このように、実際に、有効証拠金には、為替レートの変動による損益以外に、スワップポイント、各種手数料が考慮されるが、以下では、為替レートの変動による損益以外の金額については、考慮せずに説明する。また、建値（約定金額）×数量により計算される実質投資金額を、取引金額とする。例えば、図３では、１万ＵＳドルの買い注文時における為替レート「１ＵＳドル＝１００円」を基準として、取引金額＝１００万円と計算される。また、取引開始時における取引金額の大きさを、図３（ｂ）では実線１２５で示し、図３（ａ）および（ｂ）では点線１２５で示す。この取引金額を顧客端末２０２に表示させて、ユーザ１５２が確認することができる。ここで、例えば、ＵＳＤ／円（円を用いてＵＳドルを購入する場合）のように、外国為替証拠金取引が円建てで行われた取引金額を円で表示する場合には、為替レートが変動しても取引金額は変動しない。これに対して、ＥＵＲ／ＵＳＤ（ＵＳドルを用いてユーロを購入する場合）のように、外国為替証拠金取引が外貨建てで行われた取引金額を円で表示する場合には、外貨建てで行われた取引金額を円に換算する必要があるため、為替レートの変動に応じて取引金額が変動する。同様に、外国為替証拠金取引が円建ておよび外貨建てで行われた取引金額を円で表示する場合にも、外貨建てで行われた取引金額を円に換算する必要があるため、為替レートの変動に応じて取引金額が変動する。なお、以下では、約定時の為替レートで取引金額を算出する例を示すが、表示時における為替レートで取引金額を算出するようにしてもよい。この場合には、外国為替証拠金取引が円建てで行われた場合、および、外国為替証拠金取引が外貨建てで行われた場合の何れも、為替レートの変動に応じて取引金額が変動して表示される。
【００４３】
ここで、外国為替証拠金取引の計算に用いられる各式について説明する。ここでは、現在の取引状況について、必要証拠金における有効証拠金の割合で示す証拠金維持率と、有効証拠金に対する取引金額の倍率で示すレバレッジ倍率とについて説明する。証拠金維持率は、（有効証拠金／必要証拠金）×１００により求められる値であり、レバレッジ倍率は、（取引金額／有効証拠金）により求められる値である。
【００４４】
例えば、図３（ｂ）に示すように、為替レートが購入時と同じ「１ＵＳドル＝１００円」の場合には、為替レートの変動による損益が発生していないため、有効証拠金は、入金時の証拠金と同額の「２０万円」である。この場合に、証拠金維持率は、「（有効証拠金『２０万円』／必要証拠金『１０万円』）×１００」により求められる「２００％」である。また、レバレッジ倍率は、「取引金額『１００万円』／有効証拠金『２０万円』」により求められる「５倍」である。
【００４５】
また、例えば、図３（ａ）に示すように、為替レートが「１ＵＳドル＝１１０円」となった場合には、上述したように、為替レートの変動により「１０万円」の利益が発生しているため、入金時の証拠金「２０万円」に、為替レートの変動による利益額「１０万円」が加算された金額「３０万円」が有効証拠金となる。この場合に、証拠金維持率は、「（有効証拠金『３０万円』／必要証拠金『１０万円』）×１００」により求められる「３００％」である。また、レバレッジ倍率は、「取引金額『１００万円』／有効証拠金『３０万円』」により求められる「３．３３…倍」である。
【００４６】
一方、図３（ｃ）に示すように、為替レートが「１ＵＳドル＝９０円」となった場合には、上述したように、為替レートの変動により「１０万円」の損害が発生しているため、入金時の証拠金「２０万円」から、為替レートの変動による損害額「１０万円」が減算された金額「１０万円」が有効証拠金となる。この場合に、証拠金維持率は、「（有効証拠金『１０万円』／必要証拠金『１０万円』）×１００」により求められる「１００％」である。また、レバレッジ倍率は、「取引金額『１００万円』／有効証拠金『１０万円』」により求められる「１０倍」である。なお、取引開始時における有効証拠金の大きさを、図３（ｂ）では実線１２６で示し、図３（ａ）および（ｂ）では点線１２６で示す。
【００４７】
このように、外国為替証拠金取引を行うことにより、ユーザが少ない自己資金で大きな資金を移動させることができるが、為替レートの変動に応じて、取引後の資金の値が変動し、損益の額が大きくなる可能性がある。また、この損益額に応じて、証拠金維持率およびレバレッジ倍率の各値も変動する。例えば、図３（ａ）に示すように、為替レートの変動により取引金額の評価額が増加する場合には、証拠金維持率は増加し、レバレッジ倍率は減少する。一方、図３（ｃ）に示すように、為替レートの変動により取引金額の評価額が減少する場合には、証拠金維持率は減少し、レバレッジ倍率は増加する。そこで、本発明の実施の形態では、現在の取引状況を、証拠金維持率およびレバレッジ倍率の異なる２つの指標により表示させる。これにより、現在の取引状況を顧客が容易に把握することができる。
【００４８】
ここで、図３では、１つの通貨（ＵＳドル）について買い注文（ポジション購入）をした場合における証拠金維持率およびレバレッジ倍率の算出方法について説明した。ここでは、複数の通貨（例えば、ＵＳドルおよびＮＺ（ニュージーランド）ドル）について買い注文をした場合における証拠金維持率およびレバレッジ倍率の算出方法について説明する。
【００４９】
最初に、ＵＳドルおよびＮＺドルの必要証拠金を算出する算出方法について説明する。外国為替証拠金取引では、一般に、買いポジションおよび売りポジションが１０，０００通貨単位であるため、１０，０００通貨単位で通貨毎に必要証拠金が算出される。例えば、現在の為替レートが「１ＵＳドル＝１２０円」であり、最大レバレッジ倍率が「２０倍」に設定されている場合には、「１，２００，０００円／２０倍＝６０，０００円」であるため、ＵＳドルに関する必要証拠金として６０，０００円が算出される。同様に、例えば、現在の為替レートが「１ＮＺドル＝８１円」であり、最大レバレッジ倍率が「２０倍」に設定されている場合には、「８１０，０００円／２０倍＝４０，５００円」であるため、ＮＺドルに関する必要証拠金として４０，５００円が算出される。
【００５０】
このように、必要証拠金は、一般に、ＦＸ会社により設定された最大レバレッジ倍率と、必要証拠金の算出の際に取得された為替レートとに基づいて、ＦＸ会社により１０，０００通貨単位で通貨毎に算出される。また、このように算出される必要証拠金については、為替レートが変動するため、定期的または不定期に見直しがされる。例えば、ＦＸ会社のシステム的な見直しの際に自動に必要証拠金額を算出することができる。
【００５１】
次に、ＵＳドルおよびＮＺドルの証拠金維持率およびレバレッジ倍率の算出方法について説明する。例えば、ＦＸ会社に１００，０００円が証拠金として入金されたものとする。この場合の有効証拠金は１００，０００円である。ここで、顧客がポジションを保有しておらず、有効証拠金として円のみが入金されている場合には、為替レートが変動しても有効証拠金は変化しない。これに対して、有効証拠金として外貨が入金されている場合には、ポジションの保有の有無にかかわらず、為替レートの変動により有効証拠金が変動する。なお、この例では、有効証拠金として円のみが入金されている場合を例にして説明する。
【００５２】
上述したように、ＵＳドルに関する１０，０００通貨単位の必要証拠金として６０，０００円が算出され、ＮＺドルに関する１０，０００通貨単位の必要証拠金として４０，５００円が算出されているものとする。例えば、ＵＳドルの買いポジションを１０，０００通貨購入する場合には、上述したように、必要証拠金は６０，０００円である。また、この購入の際における為替レートが「１ＵＳドル＝１１０円」である場合において、証拠金維持率は、「有効証拠金『１００，０００円』／必要証拠金『６０，０００円』＝１６６．６６…％」である。また、レバレッジ倍率は、「取引金額『１，１００，０００円』／有効証拠金『１００，０００円』＝１１倍」である。
【００５３】
ここで、為替レートが「１ＵＳドル＝１０５円」になった場合を想定すると、証拠金維持率は、「有効証拠金『５０，０００円』／必要証拠金『６０，０００円』＝８３．３…％」となり、レバレッジ倍率は、「取引金額『１，１００，０００円』／有効証拠金『５０，０００円』＝２２倍」となる。また、為替レートが「１ＵＳドル＝１１５円」になった場合を想定すると、証拠金維持率は、「有効証拠金『１５０，０００円』／必要証拠金『６０，０００円』＝２５０％となり、レバレッジ倍率は、「取引金額『１，１００，０００円』／有効証拠金『１５０，０００円』＝７．３倍」となる。
【００５４】
次に、上述したように、ＵＳドルの買いポジションを１０，０００通貨購入した後に、為替レートが「１ＵＳドル＝１１５円」になった際に、ＮＺドルの買いポジションを１０，０００通貨購入する場合について説明する。例えば、ＮＺドルの買いポジションを１０，０００通貨購入する場合には、上述したように、必要証拠金は４０，５００円である。ここで、ＵＳドルの買いポジション購入と、ＮＺドルの買いポジション購入とについては、必要証拠金として１００，５００円（６０，０００円＋４０，５００円）が必要となる。このため、ＮＺドルの買いポジションを１０，０００通貨購入する場合には、顧客が５００円以上をＦＸ会社に入金する必要がある。ここでは、顧客により５００円が入金されたものとして説明する。また、このＮＺドルの購入の際における為替レートが「１ＮＺドル＝８０円」である場合において、証拠金維持率は、「有効証拠金『１５０，５００円』／必要証拠金『１００，５００円』＝１４９．７５…％」である。また、レバレッジ倍率は、「取引金額『１，１００，０００円＋８００，０００円』／有効証拠金『１５０，５００円』＝１２．６２…倍」である。
【００５５】
ここで、ＮＺドルの為替レートは変化しないが、為替レートが「１ＵＳドル＝１１０円」になった場合を想定すると、証拠金維持率は、「有効証拠金『１００，５００円』／必要証拠金『１００，５００円』＝１００％」となり、レバレッジ倍率は、「取引金額『１，９００，０００円』／有効証拠金『１００，５００円』＝１８．９０…倍」となる。
【００５６】
なお、証拠金維持率およびレバレッジ倍率の計算に用いられる為替レートは、実際は、買いポジションについては、為替レートに係る売値を用いて計算され、売りポジションについては、為替レートに係る買値を用いて計算される。しかしながら、以下では、説明の容易のため、特に明示しない限り、買いポジションおよび売りポジションの何れを計算する場合についても、売値および買値に共通した為替レートを用いて計算する場合を例にして説明する。
【００５７】
次に、外国為替証拠金取引システム１００を構成する顧客端末２００、銀行サーバ３００およびＦＸサーバ４００の各機能構成例について図面を参照して詳細に説明する。
【００５８】
図４は、本発明の実施の形態における顧客端末２００の機能構成例を示すブロック図である。この顧客端末２００は、例えば、専用の表示部を備えるパーソナルコンピュータである。この顧客端末２００は、ＣＰＵ（Central Processing Unit）２１０と、ＲＯＭ（Read Only Memory）２２０と、ＲＡＭ（Random Access Memory）２３０と、ＨＤＤ（Hard Disk Drive）２４０と、操作受付部２５０と、表示部２６０と、通信部２７０とを備える。また、各ブロック間における各信号のやりとりは、バス２８０を介して行われる。
【００５９】
ＣＰＵ２１０は、ＲＯＭ２２０に記憶されている各種制御プログラムに基づいて、顧客端末２００の各部を制御するものである。また、ＣＰＵ２１０は、ＨＤＤ２４０から読み出された各種情報や操作受付部２５０により受け付けられた操作入力等に基づいて顧客端末２００の各部を制御する。
【００６０】
ＲＯＭ２２０は、読み出し専用のメモリであり、各種制御プログラム等を記憶するものである。
【００６１】
ＲＡＭ２３０は、ＣＰＵ２１０のメインメモリ（主記憶装置）に用いられるメモリであり、ＣＰＵ２１０において実行されるプログラムの作業領域等を記憶するものである。
【００６２】
ＨＤＤ２４０は、各種アプリケーションプログラム等が格納されているハードディスク装置である。
【００６３】
操作受付部２５０は、各種入力キーからなるキーボードやマウス（ポインティングデバイス）を備え、これらのマウス等によって操作入力を受け付けると、受け付けた操作入力の内容をＣＰＵ２１０に出力するものである。なお、操作受付部２５０の少なくとも一部と表示部２６０とをタッチパネルとして一体として構成するようにしてもよい。
【００６４】
表示部２６０は、ＣＰＵ２１０の制御に基づいて各種情報を表示する表示部である。表示部２６０としては、例えば、ＬＣＤ（Liquid Crystal Display）等のディスプレイを用いることができる。また、表示部２６０に表示される各画面上において、指示や操作の対象を指し示すために用いられるカーソル（マウスポインタ）が表示され、マウスの動きに応じてカーソルが画面上を移動する。本発明の実施の形態で示す各図では、表示部２６０に表示されるカーソルをカーソル２６１として示す。
【００６５】
通信部２７０は、ネットワーク１４０と接続され、ＣＰＵ２１０の制御に基づいて、ネットワーク１４０と接続されている銀行サーバ３００またはＦＸサーバ４００との間で各種情報の送受信を実行するものである。
【００６６】
図５は、本発明の実施の形態における銀行サーバ３００の機能構成例を示すブロック図である。この銀行サーバ３００は、認証部３１０と、制御部３２０と、主記憶部３３０と、銀行顧客管理情報データベース３４０と、普通預金口座データベース３５０と、外貨預金口座データベース３６０と、ＦＸサーバ通信制御部３７０と、ネットワーク通信制御部３８０と、表示制御部３９０とを備える。
【００６７】
認証部３１０は、ネットワーク通信制御部３８０で受信された顧客端末２００からの銀行執行パスワードや銀行ログインパスワード等の認証処理を行うものである。
【００６８】
制御部３２０は、銀行サーバ３００全体を制御するシステム制御部である。
【００６９】
主記憶部３３０は、ＦＸサーバ通信制御部３７０またはネットワーク通信制御部３８０で受信された各情報を記憶するものであり、記憶されている情報を認証部３１０および制御部３２０に出力する。
【００７０】
銀行顧客管理情報データベース３４０は、銀行１１０の顧客に関する情報である銀行顧客管理情報が記録されるデータベースである。なお、この銀行顧客管理情報データベース３４０については、図７を参照して詳細に説明する。
【００７１】
普通預金口座データベース３５０は、銀行１１０の顧客により開設されている普通預金口座に関する入出金記録や残高情報等の普通預金口座情報が記録されるデータベースである。なお、この普通預金口座データベース３５０については、図８を参照して詳細に説明する。
【００７２】
外貨預金口座データベース３６０は、銀行１１０の顧客により開設されている外貨預金口座に関する入出金記録や残高情報等の外貨預金口座情報が記録されるデータベースである。なお、この外貨預金口座データベース３６０については、図８を参照して詳細に説明する。
【００７３】
ＦＸサーバ通信制御部３７０は、専用回線１３０と接続され、制御部３２０からの指示に基づいて、専用回線１３０を介してＦＸサーバ４００との間で行われる通信制御を行うものである。
【００７４】
ネットワーク通信制御部３８０は、ネットワーク１４０と接続され、制御部３２０からの指示に基づいて、ネットワーク１４０を介して顧客端末２００との間で行われる通信制御を行うものである。
【００７５】
表示制御部３９０は、ネットワーク１４０を介して接続される顧客端末２００に対して、ネットワーク通信制御部３８０を介して各表示画面の表示に必要な情報を提供する制御を行うものである。
【００７６】
図６は、本発明の実施の形態におけるＦＸサーバ４００の機能構成例を示すブロック図である。このＦＸサーバ４００は、認証部４１０と、制御部４２０と、主記憶部４３０と、ＦＸ顧客管理情報データベース４４０と、ＦＸ証拠金データベース４５０と、ＦＸ取引実績データベース４６０と、銀行サーバ通信制御部４７０と、ネットワーク通信制御部４８０と、表示制御部４９０と、ロスカット情報保持部４９４とを備える。
【００７７】
認証部４１０は、ネットワーク通信制御部４８０で受信された顧客端末２００からのＦＸ執行パスワードやＦＸログインパスワード等の認証処理を行うものである。
【００７８】
制御部４２０は、ＦＸサーバ４００全体を制御するシステム制御部である。なお、制御部４２０は、特許請求の範囲に記載の為替レート取得部、有効証拠金算出部、証拠金維持率算出部、有効証拠金算出トリガー発生部の一例である。
【００７９】
主記憶部４３０は、銀行サーバ通信制御部４７０またはネットワーク通信制御部４８０で受信された各情報を記憶するものであり、記憶されている情報を認証部４１０および制御部４２０に出力する。
【００８０】
ＦＸ顧客管理情報データベース４４０は、ＦＸ会社１２０の顧客に関する情報であるＦＸ顧客管理情報が記録されるデータベースである。なお、このＦＸ顧客管理情報データベース４４０については、図７を参照して詳細に説明する。
【００８１】
ＦＸ証拠金データベース４５０は、ＦＸ会社１２０の顧客により入金された証拠金に関する入出金記録や合計証拠金額等のＦＸ証拠金情報が記録されるデータベースである。なお、このＦＸ証拠金データベース４５０については、図９を参照して詳細に説明する。
【００８２】
ＦＸ取引実績データベース４６０は、ＦＸ会社１２０の顧客により行われた外国為替証拠金取引に関する売買注文の記録や取引額の合計値等のＦＸ取引実績情報が記録されるデータベースである。なお、このＦＸ取引実績データベース４６０については、図１０を参照して詳細に説明する。
【００８３】
銀行サーバ通信制御部４７０は、専用回線１３０と接続され、制御部４２０からの指示に基づいて、専用回線１３０を介して銀行サーバ３００との間で行われる通信制御を行うものである。
【００８４】
ネットワーク通信制御部４８０は、ネットワーク１４０と接続され、制御部４２０からの指示に基づいて、ネットワーク１４０を介して顧客端末２００との間で行われる通信制御、および、外国為替市場１６０との間で行われる通信制御を行うものである。
【００８５】
表示制御部４９０は、ネットワーク１４０を介して接続される顧客端末２００に対して、ネットワーク通信制御部４８０を介して各表示画面の表示に必要な情報を提供する制御を行うものである。例えば、表示制御部４９０は、ネットワーク１４０を介して接続される顧客端末２００に、図１１乃至図１３等に示す各表示画面を表示させる制御を行う。なお、表示制御部４９０は、特許請求の範囲に記載の警告通知情報送信部の一例である。
【００８６】
ロスカット情報保持部４９４は、ロスカット（強制決済）の実施および警告通知等に用いられる値を保持するものである。ここで、ロスカットは、例えば、為替レートの変動により、証拠金維持率が一定の基準値（ロスカットレベル）に達した場合に、顧客にこれ以上の損失を生じさせないため、ＦＸ会社１２０が現在のポジションの反対売買を自動で行う強制決済を意味する。なお、このロスカット情報保持部４９４については、図３１を参照して詳細に説明する。また、ロスカット情報保持部４９４は、特許請求の範囲に記載の警告通知基準値記憶部および一定間隔変更基準値記憶部の一例である。
【００８７】
次に、銀行１１０およびＦＸ会社１２０が所有する顧客管理情報について図面を参照して説明する。
【００８８】
図７は、銀行１１０およびＦＸ会社１２０が所有する顧客管理情報の概略を示す図である。図７（ａ）には、銀行１１０の銀行顧客管理情報データベース３４０の概略を示し、図６（ｂ）には、ＦＸ会社１２０のＦＸ顧客管理情報データベース４４０の概略を示す。なお、本発明の実施の形態では、銀行１１０およびＦＸ会社１２０の顧客であるユーザ１５０を「甲田一郎」と称して説明する。
【００８９】
銀行顧客管理情報データベース３４０は、銀行１１０の顧客に関する各種管理情報が格納されているデータベースであり、例えば、銀行口座番号３４１と、銀行支店番号３４２と、ＦＸ口座番号３４３と、銀行ログインパスワード３４４と、銀行執行パスワード３４５と、顧客情報３４６とが関連付けられて記録されている。
【００９０】
銀行口座番号３４１は、銀行１１０に口座を開設した顧客毎に付与される銀行の口座番号である。銀行支店番号３４２は、口座が開設された銀行１１０の支店の識別番号である。ＦＸ口座番号３４３は、ＦＸ会社１２０のＦＸ口座を開設した顧客毎に付与されるＦＸ会社の口座番号であり、ＦＸ会社１２０による取引に関する振込等の金融機関として銀行１１０を指定した顧客について格納される。
【００９１】
銀行ログインパスワード３４４は、ネットワーク１４０を介して顧客端末２００と銀行サーバ３００との間で銀行取引を開始する場合において、顧客端末２００から銀行サーバ３００にログインする場合に用いられるパスワードである。
【００９２】
銀行執行パスワード３４５は、顧客端末２００と銀行サーバ３００との間でオンライン銀行取引が行われている場合において、他行への振込等の銀行取引での本人認証に用いられるパスワードである。
【００９３】
顧客情報３４６は、銀行１１０に口座を開設した顧客に関する各種情報である。例えば、顧客の氏名、住所、電話番号、メールアドレス等の連絡先等が格納される。
【００９４】
ＦＸ顧客管理情報データベース４４０は、ＦＸ会社１２０の顧客に関する各種管理情報が格納されているデータベースであり、例えば、ＦＸ口座番号４４１と、銀行口座番号４４２と、銀行支店番号４４３と、ＦＸログインパスワード４４４と、ＦＸ執行パスワード４４５と、取引レバレッジ倍率４４６と、銀行預金リミット金額４４７と、最低レバレッジ倍率４４８と、ロスカット確認間隔フラグ４４９と、顧客情報４７１と、優遇フラグ４７２とが関連付けられて記録されている。
【００９５】
ＦＸ口座番号４４１は、ＦＸ会社１２０に口座を開設した顧客毎に付与されるＦＸ会社１２０の顧客管理番号である。銀行口座番号４４２は、ＦＸ会社１２０による取引に関する振込等の金融機関として銀行１１０を指定した顧客に付与されている銀行の口座番号である。銀行支店番号３４２は、銀行口座番号４４２に対応する銀行１１０の支店の識別番号である。ここで、図７（ａ）および（ｂ）に示すように、ＦＸ顧客管理情報データベース４４０の銀行口座番号４４２、銀行支店番号４４３およびＦＸ口座番号４４１は、銀行顧客管理情報データベース３４０の銀行口座番号３４１、銀行支店番号３４２およびＦＸ口座番号３４３のそれぞれに対応する番号である。
【００９６】
ＦＸログインパスワード４４４は、ネットワーク１４０を介して顧客端末２００とＦＸサーバ４００との間で外国為替証拠金取引を開始する場合において、顧客端末２００からＦＸサーバ４００にログインする場合に用いられるパスワードである。
【００９７】
ＦＸ執行パスワード４４５は、顧客端末２００とＦＸサーバ４００との間でオンライン取引が行われている場合において、口座振替や買い注文等のように取引を確定する際に本人認証のために用いられるパスワードである。
【００９８】
取引レバレッジ倍率４４６および銀行預金リミット金額４４７は、顧客により設定される値であり、顧客の銀行口座からＦＸ口座に資金を自動で振替えるために用いられる値である。これらの取引レバレッジ倍率４４６および銀行預金リミット金額４４７の設定画面については、図３０を参照して詳細に説明する。
【００９９】
最低レバレッジ倍率４４８は、顧客により設定される値であり、この最低レバレッジ倍率の値以下に達した場合にはその旨が顧客に通知される。この最低レバレッジ倍率４４８の設定画面については、図２９を参照して詳細に説明する。
【０１００】
ロスカット確認間隔フラグ４４９は、ロスカットを実行するための確認間隔を設定するためのフラグであり、例えば、「０」が記録（フラグオフ）されている場合には２秒間隔でロスカットの要否確認が行われ、「１」が記録（フラグオン）されている場合には１０秒間隔でロスカットの要否確認が行われる。なお、このロスカット確認間隔フラグ４４９のオン、オフについては、図３１を参照して詳細に説明する。
【０１０１】
顧客情報４７１は、ＦＸ会社１２０に口座を開設した顧客に関する各種情報である。例えば、顧客の氏名、住所、電話番号、メールアドレス等の連絡先等が格納される。なお、複数の連絡先（例えば、携帯電話、顧客端末等のメールアドレス）を顧客情報４７１に格納しておくことにより、これらの複数の連絡先に各通知メールを同時に送信することができる。この顧客情報４７１は、図７（ａ）に示す顧客情報３４６に対応する。
【０１０２】
優遇フラグ４７２は、外国為替証拠金取引に関するニュース情報を顧客に提供する際に用いられるフラグである。例えば、優遇フラグ４７２に「０」が記録（フラグオフ）されている顧客には通常のニュース情報が提供され、優遇フラグ４７２に「１」が記録（フラグオン）されている顧客には通常よりも優遇されたニュース情報が提供される。なお、この優遇フラグ４７２のオン、オフの更新は、例えば、毎月一度行われる。例えば、月末の所定時刻の為替レートを判定用為替レートとし、この判定用為替レートを用いて、銀行サーバ３００の外貨預金口座データベース３６０の外貨預金残高３６４の各外貨の残高が円に換算される。続いて、円に換算された各外貨の残高の値と、銀行サーバ３００の普通預金口座データベース３５０の普通預金残高３５４の残高の値との合計値が算出される。続いて、算出された合計値が所定値以上の顧客については、優遇フラグ４７２に「１」が記録（フラグオン）される。一方、算出された合計値が所定値未満の顧客については、優遇フラグ４７２に「０」が記録（フラグオフ）される。なお、外国為替証拠金取引に関するニュース情報については、図３８を参照して詳細に説明する。
【０１０３】
図８は、本発明の実施の形態における普通預金口座データベース３５０に格納されている普通預金口座情報と、外貨預金口座データベース３６０に格納されている外貨預金口座情報とを概略的に示す図である。
【０１０４】
銀行１１０には、預金をしている各顧客の銀行口座が開設されている。本発明の実施の形態では、この顧客の銀行口座として普通預金口座および外貨預金口座を例にして説明する。なお、普通預金口座は、日本円を預金するための口座であり、外貨預金口座は、外国の通貨（外貨）を預金するための口座である。外貨として、例えば、ＵＳドル、ユーロ、ニュージーランド・ドル等がある。
【０１０５】
普通預金口座データベース３５０には、銀行１１０に普通預金をしている顧客毎の普通預金口座に関する普通預金口座情報が格納されている。この普通預金口座情報として、例えば、名義人３５１と、銀行支店番号３５２と、銀行口座番号３５３と、普通預金残高３５４とが関連付けて格納されている。名義人３５１は、銀行１１０に普通預金をしている顧客の名前であり、銀行支店番号３５２は、顧客が普通預金をしている銀行１１０の支店を示す支店番号であり、銀行口座番号３５３は、銀行１１０に普通預金をしている顧客毎に付与される口座番号であり、普通預金残高３５４は、銀行１１０に普通預金がされている金額の合計値である。
【０１０６】
外貨預金口座データベース３６０には、銀行１１０に外貨預金をしている顧客毎の外貨預金口座に関する外貨預金口座情報が格納されている。この外貨預金口座情報として、例えば、名義人３６１と、銀行支店番号３６２と、銀行口座番号３６３と、外貨預金残高３６４とが関連付けて格納されている。
【０１０７】
ここで、図８（ａ）および（ｂ）では、名義人３５１および３６１として、「ＦＸ会社」、「甲田一郎」、「乙川二郎」、「丙谷三郎」を例にして示す。また、名義人３５１および３６１の「ＦＸ会社」はＦＸ会社１２０であり、「甲田一郎」はユーザ１５０であるものとする。ここで、普通預金口座データベース３５０に格納されている普通預金口座情報と、外貨預金口座データベース３６０に格納されている外貨預金口座情報とは、銀行支店番号および銀行口座番号により関連付けられている。例えば、１人の顧客（例えば、甲田一郎）は、同一の銀行支店番号および銀行口座番号により、普通預金口座および外貨預金口座を開設することができる。また、１つの銀行支店番号および銀行口座番号に対応する外貨預金口座情報には、複数の外貨に関する外貨預金残高３６４が格納されているが、これらの複数の外貨の種別は、外貨の識別コード（図８（ｂ）に示す「Ｇ００１」、「Ｇ００２」、「Ｇ００３」等）により識別される。
【０１０８】
ここで、普通預金口座データベース３５０に格納されている顧客の普通預金口座、または、外貨預金口座データベース３６０に格納されている顧客の外貨預金口座における各名義人の間の資金の移動は、ＦＸサーバ４００からの要求に応じて、制御部３２０からの指示に基づいて行われる。例えば、顧客が、銀行１１０の自己の銀行口座から、ＦＸ会社１２０の自己のＦＸ口座に証拠金を入金する場合には、銀行１１０の自己の銀行口座から、銀行１１０のＦＸ会社の銀行口座に証拠金額を振替えることにより、証拠金の入金を行うことができる。また、顧客が、ＦＸ会社１２０の自己のＦＸ口座から、銀行１１０の自己の銀行口座に証拠金を出金する場合には、銀行１１０のＦＸ会社の銀行口座から、銀行１１０の自己の銀行口座に証拠金額を振替えることにより、証拠金の出金を行うことができる。なお、普通預金口座データベース３５０および外貨預金口座データベース３６０には、入出金の日付等が記録されるが、ここでの図示および説明は省略する。
【０１０９】
図９は、本発明の実施の形態におけるＦＸ証拠金データベース４５０を概略的に示す図である。
【０１１０】
ＦＸ証拠金データベース４５０は、ＦＸ会社１２０の顧客により開設されているＦＸ口座に入金された証拠金に関するＦＸ証拠金情報が記録されるデータベースであり、名義人４５１と、ＦＸ口座番号４５２と、銀行口座番号４５３と、証拠金額４５４とが関連付けて格納される。なお、ＦＸ証拠金データベース４５０には、入出金の日付等が格納されるものの、ここでの説明は省略する。
【０１１１】
名義人４５１は、ＦＸ会社１２０にＦＸ口座を開設している顧客の名前であり、ＦＸ口座番号４５２は、ＦＸ会社１２０にＦＸ口座を開設している顧客毎に付与される口座番号であり、銀行口座番号４５３は、ＦＸ会社１２０にＦＸ口座を開設している顧客が所有する銀行１１０の銀行口座番号である。このように、銀行１１０の銀行口座と、ＦＸ会社１２０のＦＸ口座とは、銀行口座番号により関連付けられている。
【０１１２】
証拠金額４５４は、ＦＸ会社１２０にＦＸ口座を開設している顧客から入金された証拠金の合計値である。本発明の実施の形態では、日本円とともに日本円以外の外貨についても、証拠金としてＦＸ会社１２０に入金することが可能な場合を例にして説明する。以下では、外貨として、ＵＳドル（ＵＳＤ）、ユーロ（ＥＵＲ）、ニュージーランド・ドル（ＮＺＤ）を例にして説明する。例えば、ＦＸ会社１２０の顧客により複数の通貨について証拠金が入金された場合には、これらの複数の通貨に関する証拠金額が証拠金額４５４として記録されるとともに、これらの証拠金額が、現在の為替レートによりそれぞれ日本円に換算されて、日本円の合計値が算出され、この算出された合計値が記録される。なお、この合計値は、ＦＸサーバ４００により為替レートが取得される毎に算出される。なお、図９では、名義人４５１として、「甲田一郎」、「乙川二郎」、「丙谷三郎」を例にして示し、「甲田一郎」は証拠金をＦＸ会社１２０に入金していない状態を示す。
【０１１３】
図１０は、本発明の実施の形態におけるＦＸ取引実績データベース４６０を概略的に示す図である。
【０１１４】
ＦＸ取引実績データベース４６０は、ＦＸ会社１２０にＦＸ口座を開設している顧客により行われた外国為替証拠金取引の取引実績に関するＦＸ取引実績情報が記録されるデータベースであり、名義人４６１と、ＦＸ口座番号４６２と、銀行口座番号４６３と、取引金額４６４とが関連付けて格納される。なお、ＦＸ取引実績データベース４６０には、入出金の日付等が記録されるが、ここでの説明は省略する。
【０１１５】
名義人４６１、ＦＸ口座番号４６２および銀行口座番号４６３は、図９に示す名義人４６１、ＦＸ口座番号４６２および銀行口座番号４６３に対応するものであり、ＦＸ証拠金データベース４５０およびＦＸ取引実績データベース４６０は、銀行口座番号により関連付けられている。
【０１１６】
取引金額４６４は、ＦＸ会社１２０にＦＸ口座を開設している顧客により行われた外国為替証拠金取引の取引実績に係る取引金額を示す値である。例えば、ＦＸ会社１２０の顧客により複数の通貨について外国為替証拠金取引が行われた場合には、これらの複数の通貨に関する取引実績に係る取引金額が取引金額４６４として記録されるとともに、これらの取引実績に係る取引金額が、取引時の為替レートによりそれぞれ日本円に換算されて、日本円の合計値が算出され、この算出された合計値が記録される。
【０１１７】
ここで、本発明の実施の形態では、日本円で外貨を購入する場合を例にして説明する。なお、証拠金として外貨が入金されている場合には、現在の為替レートにより外貨を日本円に換算して、この日本円に換算された値を基準にして外貨を購入する。また、図１０では、図９と同様に、名義人４６１として、「甲田一郎」、「乙川二郎」、「丙谷三郎」を例にして示し、「甲田一郎」はＦＸ会社１２０での取引実績がない状態を示す。
【０１１８】
次に、ＦＸ会社１２０に証拠金を入金または出金する場合について図面を参照して詳細に説明する。
【０１１９】
図１１は、本発明の実施の形態における顧客端末２００からＦＸサーバ４００にログインする場合における表示画面の遷移を示す図である。この例では、銀行１１０の銀行口座およびＦＸ会社１２０のＦＸ口座を所有するユーザ１５０が顧客端末２００を用いてＦＸ会社１２０との間でオンライン外国為替証拠金取引を開始する場合について説明する。
【０１２０】
ユーザ１５０が、顧客端末２００を用いてＦＸ会社１２０との間でオンライン外国為替証拠金取引を開始する場合には、顧客端末２００からＦＸサーバ４００にログインする必要がある。そこで、図１１（ａ）に示す外国為替証拠金取引ログイン画面５００を表示部２６０に表示させ、この外国為替証拠金取引ログイン画面５００において、ユーザ１５０がログインに必要な情報を入力することにより、図１１（ｂ）に示す外国為替証拠金取引メニュー画面５１０を表示させることができる。なお、本発明の実施の形態では、顧客端末２００からＦＸサーバ４００にログインする場合に必要な情報は、ＦＸ口座番号およびＦＸログインパスワードとする。
【０１２１】
ここで、外国為替証拠金取引ログイン画面５００を表示部２６０に表示させる場合には、例えば、ＦＸ会社１２０のホームページを表示部２６０に表示させ、このホームページにおいて、ユーザ１５０が操作受付部２５０のマウスを用いて「外国為替証拠金取引ログイン」ボタン（図示せず）を押下する操作入力を行う。これにより、外国為替証拠金取引ログイン画面の送信要求がＦＸサーバ４００に送信される。そして、外国為替証拠金取引ログイン画面の送信要求を受信したＦＸサーバ４００から顧客端末２００に外国為替証拠金取引ログイン画面を表示させるための外国為替証拠金取引ログイン画面情報が送信され、顧客端末２００の表示部２６０に外国為替証拠金取引ログイン画面５００が表示される。
【０１２２】
図１１（ａ）に示すように、外国為替証拠金取引ログイン画面５００には、「ＦＸ口座番号」入力領域５０１と、「ＦＸログインパスワード」入力領域５０２と、「確認」ボタン５０３とが設けられている。ユーザ１５０がＦＸサーバ４００にログインする場合には、外国為替証拠金取引ログイン画面５００において、「ＦＸ口座番号」入力領域５０１にユーザ１５０のＦＸ口座番号「１０１２３５」を入力するとともに、「ＦＸログインパスワード」入力領域５０２にユーザ１５０のＦＸログインパスワード「ｘａｂｃｄｅ（実際の画面ではセキュリティの観点から非表示となるため、図１１（ａ）では「＊＊＊＊＊＊」と示す）」を入力して、カーソル２６１を用いて「確認」ボタン５０３を押下する。これにより、入力されたＦＸ口座番号およびＦＸログインパスワードを含むＦＸログイン情報がＦＸサーバ４００に送信される。
【０１２３】
そして、ＦＸログイン情報を受信したＦＸサーバ４００が、このＦＸログイン情報に含まれるＦＸ口座番号およびＦＸログインパスワードと、ＦＸ顧客管理情報データベース４４０に格納されているＦＸ口座番号４４１およびＦＸログインパスワード４４４とを比較することにより認証処理を行う。そして、２つのＦＸ口座番号およびＦＸログインパスワードが一致した場合には、認証処理による認証が成功と判断し、ＦＸサーバ４００が顧客端末２００のログインを許可する。この許可により、外国為替証拠金取引画面を表示させるための外国為替証拠金取引画面情報がＦＸサーバ４００から顧客端末２００に送信され、顧客端末２００の表示部２６０に外国為替証拠金取引メニュー画面５１０が表示される。
【０１２４】
図１１（ｂ）に示すように、外国為替証拠金取引メニュー画面５１０には、「外国為替証拠金取引」ボタン５１１と、「証拠金入金」ボタン５１２と、「証拠金出金」ボタン５１３と、「取引状況確認画面表示」ボタン５１４と、「設定画面表示」ボタン５１５とが設けられている。
【０１２５】
「外国為替証拠金取引」ボタン５１１は、オンライン外国為替証拠金取引を開始する場合に押下されるボタンである。
【０１２６】
「証拠金入金」ボタン５１２は、ＦＸサーバ４００にログインされている状態で、顧客からＦＸ会社１２０に証拠金を入金する場合に押下されるボタンである。この証拠金の入金については、図１２乃至図１４を参照して詳細に説明する。
【０１２７】
「証拠金出金」ボタン５１３は、ＦＸサーバ４００にログインされている状態で、顧客がＦＸ会社１２０から証拠金を出金する場合に押下されるボタンである。この証拠金の出金については、図１６乃至図１８を参照して詳細に説明する。
【０１２８】
「取引状況確認画面表示」ボタン５１４は、現在の為替レートを基準として外国為替証拠金取引の取引実績を確認するための取引状況確認画面を表示させる際に押下されるボタンである。この取引状況確認画面については、図１９、図２２、図２４を参照して詳細に説明する。
【０１２９】
「設定画面表示」ボタン５１５は、外国為替証拠金取引を行う場合において、顧客側で設定することが可能な各種項目を設定するための画面を表示させる際に押下されるボタンである。これらの画面例については、図２９および図３０を参照して詳細に説明する。
【０１３０】
なお、外国為替証拠金取引メニュー画面５１０には、「外国為替証拠金取引」ボタン５１１、「証拠金入金」ボタン５１２、「証拠金出金」ボタン５１３、「取引状況確認画面表示」ボタン５１４および「設定画面表示」ボタン５１５のみを示すが、外国為替証拠金取引に関する他のボタンを外国為替証拠金取引メニュー画面５１０に設けることができる。
【０１３１】
次に、ネットワーク１４０を介して顧客端末２００がＦＸサーバ４００にログインしている状態で、ユーザ１５０の銀行口座とユーザ１５０のＦＸ口座との間で資金を移動する口座振替について図面を参照して詳細に説明する。最初に、ユーザ１５０がＦＸ会社１２０に証拠金を入金するため、ユーザ１５０の銀行口座からユーザ１５０のＦＸ口座に資金を移動する口座振替について説明する。
【０１３２】
図１２および図１３は、ネットワーク１４０を介して顧客端末２００がＦＸサーバ４００にログインしている状態で、口座振替を行うための表示画面の遷移を示す図である。これらの表示画面については、図１４に示すシーケンスチャートを参照して詳細に説明する。
【０１３３】
図１４は、ネットワーク１４０を介して顧客端末２００がＦＸサーバ４００にログインしている場合における口座振替処理を示すシーケンスチャートである。この例では、ユーザ（甲田一郎）１５０が顧客端末２００を用いて口座振替処理をする場合について説明する。
【０１３４】
最初に、顧客端末２００に表示されている外国為替証拠金取引メニュー画面５１０（図１１に示す）において、「証拠金入金」ボタン５１２がカーソル２６１を用いて押下されると、口座振替入金画面を要求するための口座振替入金画面要求がＦＸサーバ４００に送信される（６００）。顧客端末２００からの口座振替入金画面要求をＦＸサーバ４００が受信すると（６０１）、専用回線１３０を介して、甲田一郎の普通預金口座および外貨預金口座の預金残高を要求するための銀行口座残高情報要求を銀行サーバ３００に送信する（６０２）。
【０１３５】
甲田一郎の銀行口座残高情報要求を銀行サーバ３００が受信すると（６０３）、甲田一郎の普通預金口座および外貨預金口座の預金残高を含む銀行口座残高情報をＦＸサーバ４００に送信する（６０４）。例えば、図８（ａ）に示す普通預金口座データベース３５０の甲田一郎の普通預金残高３５４の「１，０００，０００（円）」と、図８（ｂ）に示す外貨預金口座データベース３６０の甲田一郎の外貨預金残高３６４の「１，０００（ＵＳＤ）」、「４００（ＥＵＲ）」および「７００（ＮＺＤ）」とを含む銀行口座残高情報が送信される。
【０１３６】
ＦＸサーバ４００は、甲田一郎の銀行口座残高情報を銀行サーバ３００から受信すると（６０５）、受信された銀行口座残高情報に含まれる甲田一郎の普通預金口座および外貨預金口座の預金残高が記載された口座振替入金画面と、この口座振替入金画面における操作内容を確認するための口座振替確認画面とを表示させるための口座振替入金画面情報を顧客端末２００に送信する（６０６）。ＦＸサーバ４００からの口座振替入金画面情報を顧客端末２００が受信すると（６０７）、受信された口座振替入金画面情報に基づいて口座振替入金画面を表示部２６０に表示する（６０８）。
【０１３７】
図１２は、表示部２６０に表示（６０８）される表示画面の一例である口座振替入金画面５３０を示す図である。口座振替入金画面５３０には、「振替入金可能額」表示領域５３１と、「振替入金通貨」選択領域５３２と、「振替入金額」入力領域５３３と、「確認」ボタン５３４と、「戻る」ボタン５３５とが設けられている。
【０１３８】
「振替入金可能額」表示領域５３１には、銀行サーバ３００に記録されている甲田一郎の普通預金口座および外貨預金口座の預金残高がそれぞれ表示されている。すなわち、「振替入金可能額」表示領域５３１に表示される預金残高の値は、図８（ａ）に示す普通預金口座データベース３５０の普通預金残高３５４の値、および、図８（ｂ）に示す外貨預金口座データベース３６０の外貨預金残高３６４の値と同一である。なお、「振替入金可能額」表示領域５３１には、図８（ｂ）に示す外貨預金口座データベース３６０の外貨預金残高３６４に記録されていない通貨については表示させないようにしてもよい。
【０１３９】
「振替入金通貨」選択領域５３２は、顧客に対して口座振替処理の対象となる通貨を選択させる領域である。すなわち、「振替入金可能額」表示領域５３１に表示されている複数の通貨のうちの口座振替処理の対象となる通貨のラジオボタンが、カーソル２６１を用いてチェックされることにより、口座振替処理の対象となる通貨が選択される。図１２では、「ＪＰＹ（日本円）」が選択された場合を示す。
【０１４０】
「振替入金額」入力領域５３３は、「振替入金通貨」選択領域５３２でチェックされた通貨についての振替金額を入力する領域である。図１２では、「１００，０００（円）」が入力された場合を示す。ここで、「振替入金額」入力領域５３３の右隣には、「振替入金通貨」選択領域５３２でチェックされた通貨に応じた通貨単位が表示される。例えば、「振替入金通貨」選択領域５３２で「ＪＰＹ」がチェックされているため、通貨単位として「円」が表示される。
【０１４１】
「確認」ボタン５３４は、「振替入金通貨」選択領域５３２で通貨が選択され、「振替入金額」入力領域５３３に振替金額が入力された後に、図１３に示す口座振替確認画面５４０に進むために押下されるボタンである。
【０１４２】
「戻る」ボタン５３５は、表示画面を外国為替証拠金取引メニュー画面５１０に戻す場合に押下されるボタンである。
【０１４３】
図１２に示す口座振替入金画面５３０において、「振替入金通貨」選択領域５３２で口座振替処理の対象となる通貨がチェックされ、「振替入金額」入力領域５３３に振替金額が入力された後に、カーソル２６１を用いて「確認」ボタン５３４が押下されると、受信された口座振替入金画面情報に基づいて口座振替確認画面が表示部２６０に表示される（６０９）。
【０１４４】
図１３は、表示部２６０に表示（６０９）される表示画面の一例である口座振替確認画面５４０を示す図である。口座振替確認画面５４０には、口座振替内容表示領域５４１と、「ＦＸ執行パスワード」入力領域５４２と、「振替する」ボタン５４３と、「戻る」ボタン５４４とが設けられている。
【０１４５】
口座振替内容表示領域５４１は、図１２に示す口座振替入金画面５３０において、「振替入金通貨」選択領域５３２でチェックされた通貨と、「振替入金額」入力領域５３３に入力された振替金額と、振替日および振替区分とを、顧客が確認することができるように、各口座振替内容を表示する領域である。例えば、振替日として「２００８／０１／０８」が表示され、振替区分として「銀行口座→ＦＸ口座」が表示され、振替通貨として「日本円」が表示され、振替金額として「１００，０００円」が表示されている。
【０１４６】
「ＦＸ執行パスワード」入力領域５４２は、口座振替内容表示領域５４１に表示されている内容で口座振替処理を実行する場合において、本人確認のために、ＦＸ執行パスワードを入力する領域である。
【０１４７】
「振替する」ボタン５４３は、口座振替内容表示領域５４１に表示されている内容で口座振替処理を実行する場合において、「ＦＸ執行パスワード」入力領域５４２にＦＸ執行パスワードが入力された後に押下されるボタンである。
【０１４８】
「戻る」ボタン５４４は、口座振替内容表示領域５４１に表示されている内容を修正する場合等に、表示画面を口座振替入金画面５３０に戻す場合に押下されるボタンである。
【０１４９】
図１３に示す口座振替確認画面５４０において、「ＦＸ執行パスワード」入力領域５４２にＦＸ執行パスワードが入力された後に、カーソル２６１を用いて「振替する」ボタン５４３が押下されると、口座振替内容表示領域５４１に表示されている内容で口座振替処理を実行させるための振替指示情報がＦＸサーバ４００に送信される（６１０）。顧客端末２００からの振替指示情報をＦＸサーバ４００が受信すると（６１１）、ＦＸサーバ４００がＦＸ執行パスワードの認証処理を行い、認証に成功したと判断すると、専用回線１３０を介して、口座振替内容表示領域５４１に表示されている内容で口座振替処理を銀行サーバ３００に実行させるための資金振替要求を銀行サーバ３００に送信する（６１２）。
【０１５０】
銀行サーバ３００が資金振替要求を受信すると（６１３）、受信された資金振替要求に係る資金移動処理を実行する（６１４）。例えば、図８（ａ）に示す普通預金口座データベース３５０の甲田一郎の普通預金残高３５４の「１，０００，０００円」から「１００，０００円」が減算されて「９００，０００円」と更新されるとともに、普通預金口座データベース３５０のＦＸ会社の普通預金残高３５４の「２００，０００，０００円」に「１００，０００円」が加算されて「２００，１００，０００円」と更新される。すなわち、受信された資金振替要求に係る資金について、図８（ａ）に示す普通預金口座データベース３５０および図８（ｂ）に示す外貨預金口座データベース３６０の書き換え処理が行われる。
【０１５１】
銀行サーバ３００は、受信された資金振替要求に係る資金移動処理が完了すると、資金移動処理が完了した旨を通知するための資金移動処理完了通知をＦＸサーバ４００に送信する（６１５）。
【０１５２】
ＦＸサーバ４００は、資金移動処理完了通知を銀行サーバ３００から受信すると（６１６）、受信された資金移動処理完了通知に係る証拠金入金処理を実行する（６１７）。例えば、図９に示すＦＸ証拠金データベース４５０の甲田一郎の証拠金額４５４の「日本円（ＹＥＮ）」に「１００，０００円」が加算されるとともに「合計値」に「１００，０００円」が加算されて更新される。すなわち、受信された資金移動処理完了通知に係る資金について、図１５（ａ）に示すように、ＦＸ証拠金データベース４５０の書き換え処理が行われる。
【０１５３】
ＦＸサーバ４００は、受信された資金移動処理完了通知に係る証拠金入金処理が完了すると、証拠金入金処理が完了した旨を通知するための証拠金入金処理完了通知を顧客端末２００に送信する（６１８）。ＦＸサーバ４００からの証拠金入金処理完了通知を顧客端末２００が受信すると（６１９）、受信された証拠金入金処理完了通知に係る口座振替が完了した旨を示す証拠金入金完了通知画面を表示部２６０に表示する（６２０）。
【０１５４】
図１５は、入金処理により書換が行われたＦＸ証拠金データベース４５０の例を示す図である。図１５（ａ）には、図１２乃至図１４に示す入金処理により、甲田一郎が「１００，０００円」の証拠金を入金した場合を示し、図１５（ｂ）には、甲田一郎が「１００，０００円」および「７２８ＵＳドル」の証拠金を入金した場合を示す。なお、これらの入金処理後に書き換えられた領域の枠を太線で示す。
【０１５５】
次に、ユーザ１５０がＦＸ会社１２０に入金されている証拠金を出金するため、ユーザ１５０のＦＸ口座からユーザ１５０の銀行口座に資金を移動する口座振替について説明する。
【０１５６】
図１６および図１７は、ネットワーク１４０を介して顧客端末２００がＦＸサーバ４００にログインしている状態で、口座振替を行うための表示画面の遷移を示す図である。これらの表示画面については、図１８に示すシーケンスチャートを参照して詳細に説明する。
【０１５７】
図１８は、ネットワーク１４０を介して顧客端末２００がＦＸサーバ４００にログインしている場合における口座振替処理を示すシーケンスチャートである。この例では、ユーザ（甲田一郎）１５０が顧客端末２００を用いて口座振替処理をする場合について説明する。また、この例では、図１５（ｂ）に示すように、ＦＸ証拠金データベース４５０の甲田一郎の証拠金額として、日本円で「１００，０００（円）」が記録され、ＵＳドルで「７２８（ドル）」が記録されている場合を例にして説明する。
【０１５８】
最初に、顧客端末２００に表示されている外国為替証拠金取引メニュー画面５１０（図１１に示す）において、「証拠金出金」ボタン５１３がカーソル２６１を用いて押下されると、口座振替出金画面を要求するための口座振替出金画面要求がＦＸサーバ４００に送信される（６３０）。顧客端末２００からの口座振替出金画面要求をＦＸサーバ４００が受信すると（６３１）、甲田一郎の証拠金額の合計値および各通貨の証拠金額をＦＸ証拠金データベース４５０から取得する（６３２）。上述したように、甲田一郎の証拠金額として、日本円「１００，０００（円）」と、ＵＳドル「７２８（ドル）」がＦＸ証拠金データベース４５０から取得される。
【０１５９】
続いて、ＦＸサーバ４００は、取得された甲田一郎の証拠金額の合計値および各通貨の証拠金額が記載された口座振替出金画面と、この口座振替出金画面における操作内容を確認するための口座振替確認画面とを表示させるための口座振替出金画面情報を顧客端末２００に送信する（６３６）。ＦＸサーバ４００からの口座振替出金画面情報を顧客端末２００が受信すると（６３７）、受信された口座振替出金画面情報に基づいて口座振替出金画面を表示部２６０に表示する（６３８）。
【０１６０】
図１６は、表示部２６０に表示（６３８）される表示画面の一例である口座振替出金画面５５０を示す図である。口座振替出金画面５５０には、「振替出金可能額」表示領域５５１と、「振替出金通貨」選択領域５５２と、「振替出金額」入力領域５５３と、「確認」ボタン５５４と、「戻る」ボタン５５５とが設けられている。
【０１６１】
「振替出金可能額」表示領域５５１には、ＦＸサーバ４００に記録されている甲田一郎の証拠金額の合計値および各通貨の証拠金額がそれぞれ表示されている。すなわち、「振替出金可能額」表示領域５５１に表示される証拠金の各値は、ＦＸ証拠金データベース４５０の証拠金の合計値および各通貨の証拠金と同一である。なお、「振替出金可能額」表示領域５５１には、ＦＸ証拠金データベース４５０の証拠金額４５４に記録されていない通貨については表示させないようにしてもよい。
【０１６２】
「振替出金通貨」選択領域５５２は、顧客に対して口座振替処理の対象となる通貨を選択させる領域である。すなわち、「振替出金可能額」表示領域５５１に表示されている複数の通貨のうちの口座振替処理の対象となる通貨のラジオボタンが、カーソル２６１を用いてチェックされることにより、口座振替処理の対象となる通貨が選択される。図１６では、「ＵＳＤ（ＵＳドル）」が選択された場合を示す。
【０１６３】
「振替出金額」入力領域５５３は、「振替出金通貨」選択領域５５２でチェックされた通貨についての振替金額を入力する領域である。図１６では、「７２８（ＵＳドル）」が入力された場合を示す。
【０１６４】
「確認」ボタン５５４は、「振替出金通貨」選択領域５５２で通貨が選択され、「振替出金額」入力領域５５３に振替金額が入力された後に、図１７に示す口座振替確認画面５６０に進むために押下されるボタンである。
【０１６５】
「戻る」ボタン５５５は、表示画面を外国為替証拠金取引メニュー画面５１０に戻す場合に押下されるボタンである。
【０１６６】
図１６に示す口座振替出金画面５５０において、「振替出金通貨」選択領域５５２で口座振替処理の対象となる通貨がチェックされ、「振替出金額」入力領域５５３に振替金額が入力された後に、カーソル２６１を用いて「確認」ボタン５５４が押下されると、受信された口座振替出金画面情報に基づいて口座振替確認画面が表示部２６０に表示される（６３９）。
【０１６７】
図１７は、表示部２６０に表示（６３９）される表示画面の一例である口座振替確認画面５６０を示す図である。口座振替確認画面５６０には、口座振替内容表示領域５６１と、「ＦＸ執行パスワード」入力領域５６２と、「振替する」ボタン５６３と、「戻る」ボタン５６４とが設けられている。なお、図１７に示す口座振替確認画面５６０は、振替区分の表示が異なる点以外の構成は、図１２に示す口座振替確認画面５６０と略同一であるため、ここでの説明を省略する。
【０１６８】
図１７に示す口座振替確認画面５６０において、「ＦＸ執行パスワード」入力領域５６２にＦＸ執行パスワードが入力された後に、カーソル２６１を用いて「振替する」ボタン５６３が押下されると、口座振替内容表示領域５６１に表示されている内容で口座振替処理を実行させるための振替指示情報がＦＸサーバ４００に送信される（６４０）。なお、以下で示す振替指示情報受信処理から証拠金出金完了通知画面表示処理（６４１乃至６５０）については、振替の方向が異なる点と、入金額および出金額が異なる点以外については、図１４に示す振替指示情報受信処理から証拠金入金完了通知画面表示処理（６１１乃至６２０）と略同一であるため、ここでの説明を省略する。
【０１６９】
以上で示すように、ユーザ１５０がＦＸ会社１２０に対する証拠金の入金または出金を行う場合には、顧客端末２００がＦＸサーバ４００にログインしている状態で口座振替処理が可能であるため、ＦＸ会社１２０に対する証拠金の入金または出金を容易に行うことができる。すなわち、ユーザ１５０がＦＸ会社１２０に対する証拠金の入金または出金を行う場合に、ユーザ１５０が銀行サーバ３００にログインして口座振替処理を行う必要がなく、円滑で利便性の高い取引ツールの提供が可能となる。
【０１７０】
次に、外国為替証拠金取引の取引状況を確認するための取引状況確認画面について図面を参照して詳細に説明する。
【０１７１】
図１９は、本発明の実施の形態における取引状況確認画面の一例を示す図である。図１９に示す取引状況確認画面５７０は、図１５（ａ）に示すＦＸ証拠金データベース４５０および図１０に示すＦＸ取引実績データベース４６０の記録内容に基づいて、為替レートが「１ＵＳドル＝１１０円」の際における甲田一郎に関する取引状況を示す取引状況確認画面である。すなわち、図１９には、図１２乃至図１４に示すように、ユーザ１５０が証拠金「１００，０００円」をＦＸ会社１２０に入金した後に、外国為替証拠金取引を行っていない場合における取引状況を示す。
【０１７２】
最初に、取引状況確認画面５７０を表示させる操作について説明する。取引状況確認画面５７０を表示させるためには、図１１に示す外国為替証拠金取引メニュー画面５１０において、ユーザ１５０が「取引状況確認画面表示」ボタン５１４をカーソル２６１を用いて押下する。この「取引状況確認画面表示」ボタン５１４が押下されると、顧客端末２００は、取引状況確認画面を要求するための取引状況確認画面要求をＦＸサーバ４００に送信する。顧客端末２００からの取引状況確認画面要求をＦＸサーバ４００が受信すると、制御部４２０が、外国為替市場１６０から現在の為替レートをネットワーク通信制御部４８０を介して取得するとともに、ＦＸ証拠金データベース４５０およびＦＸ取引実績データベース４６０から甲田一郎の証拠金額および取引金額を取得する。そして、制御部４２０が、これらの取得された各情報に基づいて、取引状況確認画面５７０を表示させる各値を算出する。具体的には、制御部４２０が、甲田一郎の取引金額に対して必要となる証拠金額を必要証拠金として算出する。また、制御部４２０が、取得された現在の為替レートに基づいて、甲田一郎の取引金額における評価損益を計算し、この評価損益を甲田一郎の証拠金額に加味した有効証拠金額を算出する。続いて、制御部４２０が、必要証拠金における有効証拠金の割合を示す証拠金維持率を算出する。また、制御部４２０が、有効証拠金に対する取引金額の倍率を示すレバレッジ倍率を算出する。続いて、これらの算出された証拠金維持率およびレバレッジ倍率と、現在の為替レート、証拠金、取引金額等を含む取引状況確認画面５７０を表示させるための取引状況確認画面情報を顧客端末２００に送信する。この取引状況確認画面情報を顧客端末２００が受信すると、顧客端末２００は取引状況確認画面５７０を表示する。
【０１７３】
次に、取引状況確認画面５７０に含まれる表示内容について説明する。取引状況確認画面５７０には、「為替レート」表示領域５７１と、「証拠金」表示領域５７２と、「取引金額」表示領域５７３と、「戻る」ボタン５７４と、「口座維持率」表示領域５８０と、「口座レバレッジ倍率」表示領域５９０とが設けられている。
【０１７４】
「為替レート」表示領域５７１は、現在の為替レートが表示される領域である。図１９では、日本円およびＵＳドルの為替レートのみを示すが、例えば、証拠金または取引実績として記録されている通貨に関する為替レートの全てを「為替レート」表示領域５７１に表示するようにしてもよい。また、ＦＸサーバ４００が為替レートを取得する毎に表示内容を順次更新するようにしてもよい。
【０１７５】
「証拠金」表示領域５７２は、ＦＸ証拠金データベース４５０に記録されている証拠金額４５４の合計値が表示される領域である。この例では、証拠金「１００，０００円」がＦＸ会社１２０に入金されているため、「証拠金」表示領域５７２に「１００，０００円」が表示される。なお、外貨が証拠金として入金されている場合には、「為替レート」表示領域５７１の表示の対象となる現在の為替レートにより、日本円に換算された値の合計値が表示される。また、日本円および外貨が証拠金として入金されている場合には、現在の為替レートにより日本円に換算された外貨の合計値と、日本円との合計値が「証拠金」表示領域５７２に表示される。
【０１７６】
「取引金額」表示領域５７３は、ＦＸ取引実績データベース４６０に記録されている取引金額４６４の合計値が表示される領域である。この例では、甲田一郎により取引がされていないため、「−」が表示される。なお、甲田一郎により既に取引がされている場合には、取引の対象となる外貨の合計値が表示される。なお、複数の外貨が取引されている場合には、複数の外貨の取引金額が表示される。
【０１７７】
「戻る」ボタン５７４は、表示画面を外国為替証拠金取引メニュー画面５１０に戻す場合に押下されるボタンである。
【０１７８】
「口座維持率」表示領域５８０は、証拠金維持率およびこれを算出する際に用いられる有効証拠金および必要証拠金等の各値が表示される領域である。また、「口座レバレッジ倍率」表示領域５９０は、レバレッジ倍率およびこれを算出する際に用いられる取引金額および有効証拠金等の各値が表示される領域である。なお、図１９に示す例は、ユーザ１５０が証拠金「１００，０００円」をＦＸ会社１２０に入金した後に、外国為替証拠金取引を行っていない場合の例であるため、有効証拠金５８２および５９３以外の表示がされない。このため、「口座維持率」表示領域５８０および「口座レバレッジ倍率」表示領域５９０については、図２２を参照して詳細に説明する。なお、有効証拠金は、預り証拠金に評価損益（為替レートの変動による損益、スワップポイント、各種手数料等を含む）を加味した金額である。この例では、外国為替取引による取引金額が「０」であるため、評価損益が「０」である。このため、有効証拠金は、証拠金「１００，０００円」と同一となる。
【０１７９】
次に、外国為替証拠金取引において買い注文を行う場合について図面を参照して詳細に説明する。
【０１８０】
図２０は、ネットワーク１４０を介して顧客端末２００がＦＸサーバ４００にログインしている状態で外国為替証拠金取引を行うための表示画面の一例を示す図である。図２０（ａ）には、外国為替証拠金取引を行う際に必要事項の入力または選択等を行うための外国為替証拠金取引画面７００を示し、図２０（ｂ）には、外国為替証拠金取引画面７００において入力または選択等がされた取引内容で取引注文を行うための外国為替注文発注画面７１０を示す。なお、顧客端末２００の表示部２６０に外国為替証拠金取引画面７００を表示させるには、図１１に示す外国為替証拠金取引メニュー画面５１０において、顧客が「外国為替証拠金取引」ボタン５１１をカーソル２６１を用いて押下する。
【０１８１】
図２０（ａ）に示す外国為替証拠金取引画面７００には、「通貨ペア」選択領域７０１と、「売買区分」選択領域７０２と、「注文数量」入力領域７０３と、「確認」ボタン７０４と、「戻る」ボタン７０５とが設けられている。
【０１８２】
「通貨ペア」選択領域７０１は、取引の対象となる通貨の組合せを選択させる領域である。取引の対象となる通貨の組合せを選択する場合には、「通貨ペア」選択領域７０１に設けられているプルダウンボタン７０６を押下して、通貨ペア一覧を表示させ、この通貨ペア一覧の中から、取引対象となる通貨の組合せを選択する。図２０（ａ）では、通貨ペアとして表示される通貨の組合せについて、右側の通貨を用いて、左側の通貨を売買することを意味するものとする。すなわち、図２０（ａ）に示す「ＵＳドル・円」は、日本円を用いてＵＳドルの売買を行う通貨の組合せである。なお、通貨ペア一覧として、例えば、「ＵＳドル・円」、「ユーロ・円」、「ＮＺドル・円」等が表示され、これらの通貨ペアの中から、取引の対象となる通貨ペアを選択することができる。
【０１８３】
「売買区分」選択領域７０２は、「通貨ペア」選択領域７０１で選択された通貨ペアについて、買い注文または売り注文の何れかを選択させる領域である。すなわち、「売買区分」選択領域７０２に表示されている「売」および「買」のラジオボタンのうちから、所望のラジオボタンを、カーソル２６１を用いてチェックすることにより、「通貨ペア」選択領域７０１において選択された通貨ペアについて、買い注文または売り注文の何れかを選択することができる。図２０（ａ）では、買い注文を示す「買」が選択された場合を示す。
【０１８４】
「注文数量」入力領域７０３は、「通貨ペア」選択領域７０１で選択された通貨ペアについて、「売買区分」選択領域７０２でチェックされた売買区分により取引するための注文数量を入力する領域である。図２０（ａ）では、「１０，０００ＵＳドル」が入力された場合を示す。ここで、「注文数量」入力領域７０３の右隣には、「通貨ペア」選択領域７０１で選択された通貨ペアに応じた通貨単位が表示される。例えば、「通貨ペア」選択領域７０１で「ＵＳドル・円」が選択されているため、通貨単位として「万ドル」が表示される。なお、外国為替証拠金取引では、１０，０００通貨単位での購入が一般に行われているため、通貨毎に１０，０００単位の一覧をプルダウンメニューにより表示させ、この一覧の中から、取引対象となる注文数量を選択させるようにしてもよい。
【０１８５】
「確認」ボタン７０４は、「通貨ペア」選択領域７０１で通貨ペアが選択され、「売買区分」選択領域７０２で売買区分がチェックされ、「注文数量」入力領域７０３に注文数量が入力された後に、図２０（ｂ）に示す外国為替注文発注画面７１０に進むために押下されるボタンである。「戻る」ボタン７０５は、表示画面を外国為替証拠金取引メニュー画面５１０に戻す場合に押下されるボタンである。
【０１８６】
図２０（ｂ）に示す外国為替注文発注画面７１０には、注文発注内容表示領域７１１と、「ＦＸ執行パスワード」入力領域７１２と、「注文発注」ボタン７１３と、「戻る」ボタン７１４とが設けられている。
【０１８７】
注文発注内容表示領域７１１は、外国為替証拠金取引画面７００において、「通貨ペア」選択領域７０１で選択された通貨ペアと、「売買区分」選択領域７０２でチェックされた売買区分と、「注文数量」入力領域７０３に入力された注文数量とを、顧客が確認することができるように、注文発注内容を表示する領域である。例えば、通貨ペアとして「ＵＳドル・円」が表示され、売買区分として「買」が表示され、注文数量として「１０，０００ドル」が表示される。
【０１８８】
「ＦＸ執行パスワード」入力領域７１２は、注文発注内容表示領域７１１に表示されている内容で外国為替証拠金取引処理を実行する場合において、本人確認のために、ＦＸ執行パスワードを入力する領域である。
【０１８９】
「注文発注」ボタン７１３は、注文発注内容表示領域７１１に表示されている内容で外国為替証拠金取引処理を実行する場合において、「ＦＸ執行パスワード」入力領域７１２にＦＸ執行パスワードが入力された後に押下されるボタンである。すなわち、顧客が、「ＦＸ執行パスワード」入力領域７１２にＦＸ執行パスワードを入力した後に、「注文発注」ボタン７１３を押下すると、ＦＸサーバ４００により外国為替証拠金取引処理が実行される。この外国為替証拠金取引処理では、ＦＸサーバ４００がＦＸ執行パスワードの認証処理を行い、認証に成功したと判断されると、ＦＸサーバ４００が外国為替市場１６０との間で、注文発注内容表示領域７１１に表示されている内容で外国為替取引処理を行う。なお、これらの外国為替取引処理は、通常の外国為替取引処理であるため、ここでの説明を省略する。
【０１９０】
「戻る」ボタン７１４は、注文発注内容表示領域７１１に表示されている内容を修正する場合等に、表示画面を外国為替証拠金取引画面７００に戻す場合に押下されるボタンである。
【０１９１】
図２１は、図２０（ｂ）に示す注文発注内容表示領域７１１に表示されている内容で外国為替証拠金取引処理が実行された場合におけるＦＸ取引実績データベース４６０を示す図である。図２１には、図２０（ｂ）に示す注文発注内容表示領域７１１に表示されている内容で外国為替証拠金取引処理が行われることにより、甲田一郎が「１０，０００ＵＳドル」の買い注文をした場合を示す。なお、この外国為替証拠金取引処理後に書き換えられた領域の枠を太線で示す。
【０１９２】
図２２は、本発明の実施の形態における取引状況確認画面の一例を示す図である。図２２に示す取引状況確認画面５７０は、図１５（ａ）に示すＦＸ証拠金データベース４５０および図２１に示すＦＸ取引実績データベース４６０の記録内容に基づいて、為替レートが「１ＵＳドル＝１１０円」の際における甲田一郎に関する取引実績を示す取引状況確認画面である。すなわち、図２２では、図１２乃至図１４に示すように、ユーザ１５０が証拠金「１００，０００円」をＦＸ会社１２０に入金した後に、図２０（ｂ）に示す注文発注内容表示領域７１１に表示されている内容で外国為替証拠金取引処理を実行した場合において、現在の為替レートが、外国為替証拠金取引時の為替レート「１ＵＳドル＝１１０円」と同一である場合における取引状況を示す。なお、図２２に示す取引状況確認画面５７０における表示項目は、図１９に示す取引状況確認画面５７０における表示項目と同一であるため、同一の符号を付し、「為替レート」表示領域５７１、「証拠金」表示領域５７２および「戻る」ボタン５７４についての詳細な説明を省略する。
【０１９３】
また、この例では、ＦＸ会社１２０が、最大レバレッジ倍率の上限値を２０倍に設定しているものとする。この場合には、例えば、１０，０００ＵＳドルを購入するために必要な証拠金（必要証拠金）は「５５，０００円」ということになる。すなわち、顧客が、証拠金「５５，０００円」を入金することにより、１，１００，０００円（＝１０，０００ＵＳドル）の外国為替証拠金取引を行うことができる。
【０１９４】
「取引金額」表示領域５７３は、ＦＸ取引実績データベース４６０に記録されている取引金額４６４の合計値が表示される領域である。この例では、甲田一郎により「１０，０００ＵＳドル」の買い注文の取引がされているため、「１０，０００ドル（買）」が表示される。
【０１９５】
「口座維持率」表示領域５８０は、現在の取引状況を示す指標として、主にロスカット管理の基準となる証拠金維持率を表示する領域であり、証拠金維持率５８１と、有効証拠金５８２と、必要証拠金５８３と、プレアラート基準額５８４と、アラート基準額５８５と、ロスカット基準額５８６とが表示される領域である。
【０１９６】
証拠金維持率５８１は、ＦＸ会社１２０により定められた取引金額に対する必要な証拠金額と、入金された証拠金額のうちの有効な証拠金額との割合を示す値であり、（有効証拠金／必要証拠金）×１００により求められる値（証拠金維持率）である。ここで、図２２に示す取引状況確認画面５７０が表示されている際の為替レート（現在の為替レート）は、図１９に示す取引状況確認画面５７０が表示されている際の為替レート「１ＵＳドル＝１１０円」と同一であるため、評価損益が「０」と考え、有効証拠金は、図１９に示す場合と同様に「１００，０００円」である。これらにより、証拠金維持率＝有効証拠金「１００，０００円」／必要証拠金「５５，０００円」×１００＝１８１．８１…％が算出される。そして、証拠金維持率５８１には、小数点第３位以下が切り捨てられた「１８１．８１％」が表示される。
【０１９７】
また、有効証拠金５８２および５９３には、「１００，０００円」が表示され、必要証拠金５８３には、「５５，０００円」が表示される。
【０１９８】
プレアラート基準額５８４は、顧客にプレアラート通知を行う際の有効証拠金の基準額であり、例えば、「４１，２５０円」が設定されて表示される。このプレアラート基準額「４１，２５０円」は、必要証拠金「５５，０００円」に対して証拠金維持率が「７５％」となる有効証拠金の値である。例えば、為替レートの変動により、有効証拠金が、プレアラート基準額に達した場合には、証拠金維持率が低下しつつあることを注意するためのプレアラート通知メールが顧客に送信される。
【０１９９】
アラート基準額５８５は、顧客にアラート通知を行う際の有効証拠金の基準額であり、例えば、「２７，５００円」が設定されて表示される。このアラート基準額「２７，５００円」は、必要証拠金「５５，０００円」に対して証拠金維持率が「５０％」となる有効証拠金の値である。例えば、為替レートの変動により、有効証拠金が、アラート基準額に達した場合には、証拠金維持率が低下してロスカットされるおそれがあることを警告するためのアラート通知メールが顧客に送信される。
【０２００】
ロスカット基準額５８６は、ＦＸサーバ４００がロスカットを行う際の有効証拠金の基準額であり、例えば、「１６，５００円」が設定されて表示される。このロスカット基準額「１６，５００円」は、必要証拠金「５５，０００円」に対して証拠金維持率が「３０％」となる有効証拠金の値である。例えば、為替レートの変動により、有効証拠金が、ロスカット基準額に達した場合には、顧客にこれ以上の損失を生じさせないため、ＦＸサーバ４００がそのポジションの反対売買を行うことにより強制決済を行う。なお、ロスカットの基準値は、例えば、顧客が、証拠金維持率の５０％、４０％、３０％、２０％等と自由に設定することができる。また、以下で示すように、ロスカットの基準値をレバレッジ倍率により設定するようにしてもよい。
【０２０１】
「口座レバレッジ倍率」表示領域５９０は、現在の取引状況を示す指標として、外国為替証拠金取引の特徴であるレバレッジ倍率を表示する領域であり、レバレッジ倍率５９１と、取引金額５９２と、有効証拠金５９３と、プレアラート基準レバレッジ倍率５９４と、アラート基準レバレッジ倍率５９５と、ロスカット基準レバレッジ倍率５９６とが表示される領域である。ここで、プレアラート基準レバレッジ倍率５９４、アラート基準レバレッジ倍率５９５およびロスカット基準レバレッジ倍率５９６は、プレアラート基準額５８４、アラート基準額５８５およびロスカット基準額５８６と相互に関連する値である。
【０２０２】
レバレッジ倍率５９１は、入金された証拠金額のうちの有効な証拠金額に対する投資した金額の倍率を示す値であり、（取引金額／有効証拠金）により求められる値（レバレッジ倍率）である。ここで、上述したように、評価損益が「０」と考え、有効証拠金は、図１９に示す場合と同様に「１００，０００円」である。これらにより、レバレッジ倍率＝取引金額「１，１００，０００円（１０，０００ＵＳドル）」／有効証拠金「１００，０００円」＝１１倍が算出される。そして、レバレッジ倍率５９１には、算出された「１１．００倍」が表示される。このように、レバレッジ倍率を表示することにより、有効証拠金「１００，０００円」に対して、１１倍のレバレッジが効いた取引（取引金額「１，１００，０００円」）を行っていることを顧客が視覚的に容易に認識することができる。なお、取引金額５９２には「１，１００，０００円」が表示される。
【０２０３】
プレアラート基準レバレッジ倍率５９４は、顧客にプレアラート通知を行う際のレバレッジ倍率の基準値であり、例えば、「２６．６７倍」が設定されて表示される。例えば、為替レートの変動により、レバレッジ倍率が、プレアラート基準レバレッジ倍率に達した場合には、証拠金維持率が低下しつつあることを注意するためのプレアラート通知メールが顧客に送信される。なお、プレアラート基準レバレッジ倍率５９４およびプレアラート基準額５８４は、同一の基準について異なる指標で表す値である。すなわち、レバレッジ倍率がプレアラート基準レバレッジ倍率５９４の値に達する際の為替レートの値と、有効証拠金がプレアラート基準額５８４に達する際の為替レートの値とは、同一となる。また、アラート基準額５８５およびアラート基準レバレッジ倍率５９５の関係、ロスカット基準額５８６およびロスカット基準レバレッジ倍率５９６の関係についても同様である。
【０２０４】
アラート基準レバレッジ倍率５９５は、顧客にアラート通知を行う際のレバレッジ倍率の基準値であり、例えば、「４０．００倍」が設定されて表示される。例えば、為替レートの変動により、レバレッジ倍率が、アラート基準レバレッジ倍率に達した場合には、証拠金維持率が低下してロスカットされるおそれがあることを警告するためのアラート通知メールが顧客に送信される。
【０２０５】
ロスカット基準レバレッジ倍率５９６は、ＦＸサーバ４００がロスカットを行う際のレバレッジ倍率の基準値であり、例えば、「６６．６７倍」が設定されて表示される。例えば、為替レートの変動により、レバレッジ倍率が、ロスカット基準レバレッジ倍率に達した場合には、顧客にこれ以上の損失を生じさせないため、ＦＸサーバ４００がそのポジションの反対売買を行うことにより強制決済を行う。なお、ロスカット基準レバレッジ倍率は、例えば、顧客が、５０倍、６０倍、７０倍、８０倍等と自由に設定することができる。
【０２０６】
図２２では、外国為替証拠金取引時の為替レートと、取引状況確認画面５７０の表示時の為替レートとが同一である場合を示したが、上述したように、為替レートは常時変動する。そこで、以下では、外国為替証拠金取引時の為替レートと、取引状況確認画面５７０の表示時の為替レートとが異なる場合について図面を参照して詳細に説明する。
【０２０７】
図２３は、外国為替証拠金取引後の取引金額、有効証拠金および為替レートの関係を概略的に示す図である。図２３では、ユーザ１５０が、顧客端末２００を用いて、図２０（ｂ）に示す注文発注内容表示領域７１１に表示されている内容によりＦＸ会社１２１との間で行う外国為替証拠金取引を簡略化して示す。図２３（ａ）には、外国為替市場１６０の為替レートが「１ＵＳドル＝１１０円」の際に、外国為替証拠金取引を行った状態（取引開始時の状態）を示し、図２３（ｂ）には、図２３（ａ）に示す外国為替証拠金取引を行った後に、外国為替市場１６０の為替レートが「１ＵＳドル＝１０５円」に変動した状態を示す。
【０２０８】
この例では、ＦＸ会社１２０が、最大レバレッジ倍率の上限値を２０倍に設定しているものとする。この場合に、ユーザ１５０がＦＸ会社１２０に証拠金「１００，０００円」を入金している場合には、この証拠金の２０倍の金額「２，０００，０００円」までユーザ１５０は外国為替証拠金取引が可能である。
【０２０９】
図２３（ａ）に示すように、為替レートが「１ＵＳドル＝１１０円」の際に外国為替証拠金取引を行った場合には、図２２で示したように、取引金額「１万ＵＳドル＝１１０万円」、レバレッジ倍率「１１倍」、証拠金維持率「１８１．８１％」となる。また、図２３（ｂ）に示すように、為替レートが「１ＵＳドル＝１１０円」から「１ＵＳドル＝１０５円」に変動した場合には、ＵＳドル換算の取引金額「１万ＵＳドル」は変動しないが、日本円換算の取引金額の評価額は、「１１０万円」から「１０５万円」に変動する。このように、日本円で入金されている証拠金「１０万円」に対する日本円換算の取引金額の評価額が相対的に変動する。また、この取引金額の変動により、「５万円」の含み損が発生する。このように、為替レートの変動により「５万円」の損害が発生しているため、入金時の証拠金「１０万円」から、為替レートの変動による損害額「５万円」が減算された金額「５万円」が有効証拠金となる。この場合に、証拠金維持率は、「（有効証拠金『５万円』／必要証拠金『５．５万円』）×１００」により求められる「９０．９０９…％」である。また、レバレッジ倍率は、「取引金額『１１０万円』／有効証拠金『５万円』」により求められる「２２倍」である。なお、取引開始時における日本円換算の取引金額の大きさを、図２３（ａ）では実線１２７で示し、図２３（ｂ）では点線１２７で示す。また、取引開始時における有効証拠金の大きさを、図２３（ａ）では実線１２８で示し、図２３（ｂ）では点線１２８で示す。
【０２１０】
図２４は、本発明の実施の形態における取引状況確認画面の一例を示す図である。図２４に示す取引状況確認画面５７０は、図１５（ａ）に示すＦＸ証拠金データベース４５０および図２１に示すＦＸ取引実績データベース４６０の記録内容に基づいて、為替レートが「１ＵＳドル＝１０５円」の際における甲田一郎に関する取引実績を示す取引状況確認画面である。すなわち、図２４では、図１２乃至図１４に示すように、ユーザ１５０が証拠金「１００，０００円」をＦＸ会社１２０に入金した後に、図２０（ｂ）に示す注文発注内容表示領域７１１に表示されている内容で外国為替証拠金取引処理を実行した場合において、現在の為替レートが「１ＵＳドル＝１０５円」に変動した場合における取引状況を示す。なお、図２４に示す取引状況確認画面５７０における表示項目は、図１９に示す取引状況確認画面５７０における表示項目と同一であるため、同一の符号を付し、変動された数値以外の詳細な説明を省略する。
【０２１１】
図２３に示すように、為替レートが「１ＵＳドル＝１１０円」から「１ＵＳドル＝１０５円」に変動した場合には、有効証拠金は「５万円」となり、証拠金維持率は「９０．９０９…％」となり、レバレッジ倍率は「２２倍」となる。また、必要証拠金は、取引開始時における金額と同額の「５．５万円」である。これらの値が、図２４に示すように、証拠金維持率５８１、有効証拠金５８２、必要証拠金５８３、レバレッジ倍率５９１、取引金額５９２、有効証拠金５９３に表示される。なお、証拠金維持率５８１には、小数点第３位以下が切り捨てられた「９０．９０％」が表示される。
【０２１２】
ここで、従来は、ＦＸ事業者がレバレッジ倍率を基準にサービスを設定していることが多いため、取引開始時はＦＸ事業者により設定されたレバレッジ倍率を参考にして、顧客が希望するレバレッジ倍率での取引開始が可能である。また、外国為替証拠金取引の取引後において、為替レートの変動に応じて取引金額の評価額が頻繁に増減するため、この評価額の増減に応じてレバレッジ倍率が頻繁に変動する。しかしながら、この頻繁に変動するレバレッジ倍率については、ＦＸ事業者から顧客に提供されることがなく、現在どのくらいのレバレッジ倍率で取引が行われているかを顧客が知ることは困難であった。例えば、レバレッジ倍率が高くなるに応じて、小額で取引可能となるものの、取引リスクも大きくなる。そこで、本発明の実施の形態では、現在どのくらいのレバレッジ倍率で取引が行われているかを表示させる。これにより、顧客が現在のレバレッジ倍率を容易に確認することができるため、取引開始時に顧客が想定していたレバレッジ倍率と、現在のレバレッジ倍率との比較等により、顧客が取引の概要を把握しながら取引を行うことができる。
【０２１３】
このように、外国為替証拠金取引処理の実行後に、取引状況確認画面５７０を表示させて、「口座維持率」表示領域５８０および「口座レバレッジ倍率」表示領域５９０の内容を確認することにより、主にロスカット管理の基準となる証拠金維持率と、外国為替証拠金取引の特徴であるレバレッジ倍率とを、顧客がリアルタイムで同時に確認することができる。また、「口座維持率」表示領域５８０には、証拠金維持率を算出する際に用いられる有効証拠金５８２および必要証拠金５８３が、証拠金維持率５８１と併記して表示されるとともに、「口座レバレッジ倍率」表示領域５９０には、レバレッジ倍率を算出する際に用いられる取引金額５９２および有効証拠金５９３が、レバレッジ倍率５９１と併記して表示されるため、取引の全体量および相対的な割合等を顧客が認識し易い。例えば、図２４に示すように、レバレッジ倍率５９１に「２２倍」が表示され、取引金額５９２に「１，１００，０００円」が表示され、有効証拠金５９３に「５０，０００円」が表示されている場合には、有効証拠金額「５万円」に対する取引金額「１１０万円」の大きさが「２２倍」であることを視覚的に容易に認識することができる。また、「口座維持率」表示領域５８０には、プレアラート基準額５８４、アラート基準額５８５およびロスカット基準額５８６が、有効証拠金５８２と併記して表示されるとともに、「口座レバレッジ倍率」表示領域５９０には、プレアラート基準レバレッジ倍率５９４、アラート基準レバレッジ倍率５９５およびロスカット基準レバレッジ倍率５９６が、レバレッジ倍率５９１と併記して表示されるため、現在の取引状況がロスカット基準値とどの程度離れているかを有効証拠金およびレバレッジ倍率の双方に基づいて確認することができる。これにより、顧客が、自己の資金に対する現在投資している取引内容を容易に理解することができる。また、顧客が、一定のレバレッジ倍率で投資を継続したいという口座管理を容易に行うことができる。すなわち、レバレッジ倍率が、一定の倍率を下回った時点で、追加の証拠金を入れる等を行うことにより、顧客の所望の取引を容易に円滑に行うことができる。
【０２１４】
なお、レバレッジ倍率や証拠金維持率等の値に応じて色を変化させるようにしてもよい。例えば、レバレッジ倍率が所定値より高い場合には、レバレッジ倍率５９１の値を「赤」で表示することができる。これにより、視覚的に顧客に対してリスク具合を明確に示すことが可能となる。
【０２１５】
次に、最大レバレッジ倍率を顧客が決定して、この最大レバレッジ倍率に対する必要証拠金が不足している場合には、その旨の通知をする例について図面を参照して詳細に説明する。
【０２１６】
図２５は、ネットワーク１４０を介して顧客端末２００がＦＸサーバ４００にログインしている状態で外国為替証拠金取引を行うための表示画面の一例を示す図である。外国為替証拠金取引画面７２０には、「通貨ペア」選択領域７２１と、「売買区分」選択領域７２２と、「注文数量」入力領域７２３と、「最大レバレッジ倍率」選択領域７２４と、「確認」ボタン７２５と、「戻る」ボタン７２６とが設けられている。ここで、図２５に示す外国為替証拠金取引画面７２０は、図２０（ａ）に示す外国為替証拠金取引画面７００の変形例であり、「最大レバレッジ倍率」選択領域７２４を設けた点以外の構成は外国為替証拠金取引画面７００の構成と略同一である。このため、「最大レバレッジ倍率」選択領域７２４および外国為替証拠金取引画面７００と異なる機能を備える「確認」ボタン７２５以外の説明については省略する。
【０２１７】
「最大レバレッジ倍率」選択領域７２４は、取引の際に顧客が最大レバレッジ倍率を選択するための領域である。顧客が最大レバレッジ倍率を選択する場合には、「最大レバレッジ倍率」選択領域７２４に設けられているプルダウンボタン７２８を押下して、レバレッジ倍率一覧を表示させ、このレバレッジ倍率一覧の中から、所望のレバレッジ倍率を選択する。図２５では、最大レバレッジ倍率として「５倍」が選択された場合を示す。なお、レバレッジ倍率一覧として、例えば、「２倍」、「５倍」、「１０倍」、「２０倍」、「４０倍」等をプルダウンメニューにより表示させ、これらのレバレッジ倍率の中から、所望のレバレッジ倍率を選択することができる。
【０２１８】
「確認」ボタン７２５は、「通貨ペア」選択領域７２１で通貨ペアが選択され、「売買区分」選択領域７２２で売買区分がチェックされ、「注文数量」入力領域７２３に注文数量が入力され、「最大レバレッジ倍率」選択領域７２４で最大レバレッジ倍率が選択された後に、外国為替証拠金取引の内容を確認するために押下されるボタンである。すなわち、顧客が「確認」ボタン７２５を押下すると、外国為替証拠金取引の内容を確認するための取引内容確認情報（最大レバレッジ倍率、取引金額等を含む）が顧客端末２００からＦＸサーバ４００に送信される。取引内容確認情報を受信すると、ＦＸサーバ４００は、取引内容確認情報に含まれる最大レバレッジ倍率および取引金額に基づいて必要証拠金を算出し、甲田一郎の現在の証拠金額をＦＸ証拠金データベース４５０から取得する。そして、取得された現在の証拠金額および算出された必要証拠金を比較し、「現在の証拠金額≧必要証拠金」であるか否かに応じて、図２７に示す外国為替注文発注画面７３０または図２８に示す証拠金不足通知画面７４０を表示させるための表示情報を顧客端末２００に送信する。具体的には、「現在の証拠金額≧必要証拠金」である場合には、図２７に示す外国為替注文発注画面７３０が顧客端末２００に表示され、「現在の証拠金額≧必要証拠金」でない場合には、図２８に示す証拠金不足通知画面７４０が顧客端末２００に表示される。
【０２１９】
図２６は、図２５に示す外国為替証拠金取引画面７２０において入力または選択された内容に基づいて、必要証拠金および不足金額を算出する算出方法の概略を示す図である。図２６（ａ）には、図２５に示す「通貨ペア」選択領域７０１および「注文数量」入力領域７０３で入力または選択された内容に基づいて算出される取引金額「１０，０００ＵＳドル」と、「最大レバレッジ倍率」選択領域７２４で選択された最大レバレッジ倍率「５倍」に基づいて算出される必要証拠金「２２万円」との大きさを矩形状で示す。
【０２２０】
図２６（ｂ）には、ユーザ１５０の証拠金「３０万円」がＦＸ会社１２０に入金されている場合における必要証拠金との比較例を示し、図２６（ｃ）には、ユーザ１５０の証拠金「１７万円」がＦＸ会社１２０に入金されている場合における必要証拠金との比較例を示す。なお、証拠金「３０万円」がＦＸ会社１２０に入金されている場合とは、ＦＸ証拠金データベース４５０の証拠金額４５４の合計値に「３０万円」が記録されている場合を意味する。
【０２２１】
図２６（ｂ）に示す場合には、ＦＸ会社１２０の証拠金「３０万円」が必要証拠金「２２万円」よりも多いため、不足分はなく、この状態で取引を行うことができる。この場合における表示例を図２７に示す。一方、図２６（ｃ）に示す場合には、ＦＸ会社１２０の証拠金「１７万円」が必要証拠金「２２万円」よりも少ないため、ＦＸ会社１２０の証拠金「１７万円」と必要証拠金「２２万円」との差分値が算出され、この差分値が不足金額ｓ１「５万円」として決定される。この場合における表示例を図２８に示す。
【０２２２】
図２７は、外国為替証拠金取引画面７２０において入力または選択等がされた取引内容で取引注文を行うための外国為替注文発注画面７３０を示す図である。外国為替注文発注画面７３０には、注文発注内容表示領域７３１と、必要証拠金メッセージ表示領域７３２と、「ＦＸ執行パスワード」入力領域７１２と、「注文発注」ボタン７１３と、「戻る」ボタン７１４とが設けられている。ここで、外国為替注文発注画面７３０は、図２０（ｂ）に示す外国為替注文発注画面７１０の変形例であり、注文発注内容表示領域７１１の代わりに注文発注内容表示領域７３１を設け、必要証拠金メッセージ表示領域７３２を追加した点以外の構成は外国為替注文発注画面７１０の構成と略同一であるため、同一のものについては同一の符号を付し、注文発注内容表示領域７３１および必要証拠金メッセージ表示領域７３２以外の説明については省略する。
【０２２３】
注文発注内容表示領域７３１は、外国為替証拠金取引画面７００において、「通貨ペア」選択領域７０１で選択された通貨ペアと、「売買区分」選択領域７０２でチェックされた売買区分と、「注文数量」入力領域７０３に入力された注文数量と、「最大レバレッジ倍率」選択領域７２４で選択された最大レバレッジ倍率とを顧客が確認することができるように、注文発注内容を表示する領域である。例えば、最大レバレッジ倍率として「５倍」が表示される。
【０２２４】
必要証拠金メッセージ表示領域７３２は、図２５に示す「通貨ペア」選択領域７０１および「注文数量」入力領域７０３で入力または選択された内容に基づいて算出される取引金額「１０，０００ＵＳドル」と、「最大レバレッジ倍率」選択領域７２４で選択された最大レバレッジ倍率「５倍」に基づいて算出される必要証拠金「２２万円」を表示する領域であり、この証拠金の表示とともに、現在の証拠金で取引が可能である旨のメッセージが表示される。
【０２２５】
図２８は、外国為替証拠金取引画面７２０において入力または選択等がされた取引内容では取引注文が行えない旨を通知するための証拠金不足通知画面７４０を示す図である。証拠金不足通知画面７４０には、注文発注内容表示領域７４１と、証拠金不足通知メッセージ表示領域７４２と、「証拠金入金」ボタン７４３と、「戻る」ボタン７４４とが設けられている。なお、注文発注内容表示領域７４１は、図２７に示す注文発注内容表示領域７３１と同一の内容を表示するものであるため、ここでの詳細な説明を省略する。
【０２２６】
証拠金不足通知メッセージ表示領域７４２は、外国為替証拠金取引画面７２０において入力または選択等がされた取引内容では取引注文が行えない旨を通知する表示領域である。すなわち、証拠金不足通知メッセージ表示領域７４２には、図２７に示す注文発注内容表示領域７３１と同様に必要証拠金「２２万円」が表示されるとともに、ＦＸ会社１２０の証拠金と必要証拠金との差分値が不足金額として表示され、さらに、現在の証拠金では取引が不可能である旨のメッセージが表示される。また、不足分の証拠金を入金する場合には「証拠金入金」ボタン７４３を押下する旨の案内メッセージが表示される。
【０２２７】
「証拠金入金」ボタン７４３は、不足分の証拠金を入金する場合に押下されるボタンである。「証拠金入金」ボタン７４３が押下されると、例えば、図１２に示す口座振替入金画面５３０が表示される。これにより、顧客は証拠金の入金操作を容易に行うことができる。
【０２２８】
「戻る」ボタン５４４は、表示画面を外国為替証拠金取引画面７２０に戻す場合に押下されるボタンである。
【０２２９】
このように、外国為替証拠金取引の際に、顧客が所望の最大レバレッジ倍率を選択することができるとともに、選択された最大レバレッジ倍率に対する必要証拠金が不足している場合には、その旨のメッセージが表示され、さらに、口座振替入金画面に容易に進むことができるため、顧客は、所望の外国為替証拠金取引を円滑に行うことができる。
【０２３０】
次に、最低レバレッジ倍率を顧客が設定しておき、この最低レバレッジ倍率の値になった場合には、その旨を顧客に通知する例について図面を参照して詳細に説明する。
【０２３１】
図２９は、最低レバレッジ倍率を顧客が設定するための表示画面の一例を示す図である。最低レバレッジ倍率設定画面７５０には、設定内容案内メッセージ表示領域７５１と、最低レバレッジ倍率選択領域７５２と、「確認」ボタン７５３と、「戻る」ボタン７５４とが設けられている。なお、顧客端末２００の表示部２６０に最低レバレッジ倍率設定画面７５０を表示させるには、図１１に示す外国為替証拠金取引メニュー画面５１０において、顧客が「設定画面表示」ボタン５１５をカーソル２６１を用いて押下する。
【０２３２】
設定内容案内メッセージ表示領域７５１は、最低レバレッジ倍率設定画面７５０において設定可能な設定内容を案内するメッセージが表示される表示領域である。ここで、例えば、レバレッジ倍率が所定値以下になった場合には、予定よりも多くの含み益が発生していることになる。そこで、本発明の実施の形態では、余剰資金の有効活用を促すため、レバレッジ倍率の所定値を最低レバレッジ倍率として設定しておき、現在のレバレッジ倍率が、最低レバレッジ倍率以下の値になった場合には、その旨を顧客にメール等により通知する。なお、最低レバレッジ倍率以下の値になった旨の通知を受け取った顧客が、未決済の状態で自己のＦＸ口座から銀行口座に口座振替する際の振替可能額は、最初に入金した証拠金の範囲内の金額である。
【０２３３】
最低レバレッジ倍率選択領域７５２は、顧客が最低レバレッジ倍率を選択するための領域である。最低レバレッジ倍率を選択する場合には、最低レバレッジ倍率選択領域７５２に設けられているプルダウンボタン７５５を押下して、レバレッジ倍率一覧を表示させ、このレバレッジ倍率一覧の中から、所望のレバレッジ倍率を選択する。図２９では、プルダウンボタン７５５が押下された状態を示す。このように、レバレッジ倍率一覧として、例えば、「４０倍」、「２０倍」、「１０倍」、「５倍」等を表示させ、これらのレバレッジ倍率の中から、所望のレバレッジ倍率を選択することができる。
【０２３４】
「確認」ボタン７５３は、最低レバレッジ倍率選択領域７５２で選択された最低レバレッジ倍率の値を設定する場合に押下されるボタンである。「確認」ボタン７５３が押下されると、最低レバレッジ倍率選択領域７５２で選択された最低レバレッジ倍率の値が、図７に示すＦＸ顧客管理情報データベース４４０の最低レバレッジ倍率４４８に記録される。
【０２３５】
「戻る」ボタン５５４は、表示画面を外国為替証拠金取引メニュー画面５１０に戻す場合に押下されるボタンである。
【０２３６】
次に、取引レバレッジ倍率および銀行預金リミット金額を顧客が設定しておき、この取引レバレッジ倍率以上になった場合には、銀行預金リミット金額の範囲内で資金を証拠金としてＦＸ口座に自動的に振替える例について図面を参照して詳細に説明する。
【０２３７】
図３０は、取引レバレッジ倍率および銀行預金リミット金額を顧客が設定するための表示画面の一例を示す図である。証拠金自動振替設定画面７６０には、設定内容案内メッセージ表示領域７６１と、取引レバレッジ倍率選択領域７６２と、銀行預金リミット金額入力領域７６３と、「確認」ボタン７６４と、「戻る」ボタン７６５とが設けられている。なお、顧客端末２００の表示部２６０に最低レバレッジ倍率設定画面７５０を表示させるには、図１１に示す外国為替証拠金取引メニュー画面５１０において、顧客が「設定画面表示」ボタン５１５をカーソル２６１を用いて押下する。ここで、外国為替証拠金取引メニュー画面５１０において「設定画面表示」ボタン５１５が押下された際に、図２９に示す最低レバレッジ倍率設定画面７５０と、証拠金自動振替設定画面７６０とを交互に表示させるようにしてもよく、外国為替証拠金取引メニュー画面５１０に他の「設定画面表示」ボタンを設け、他の「設定画面表示」ボタンの押下により、証拠金自動振替設定画面７６０を表示するようにしてもよい。
【０２３８】
設定内容案内メッセージ表示領域７６１は、証拠金自動振替設定画面７６０において設定可能な設定内容を案内するメッセージが表示される表示領域である。
【０２３９】
取引レバレッジ倍率選択領域７６２は、顧客が所望の取引レバレッジ倍率を選択するための領域である。取引レバレッジ倍率を選択する場合には、取引レバレッジ倍率選択領域７６２に設けられているプルダウンボタン７６６を押下して、レバレッジ倍率一覧を表示させ、このレバレッジ倍率一覧の中から、所望のレバレッジ倍率を選択する。
【０２４０】
銀行預金リミット金額入力領域７６３は、顧客の銀行口座の資金を証拠金としてＦＸ口座に自動で振替える最大の額である銀行預金リミット金額を入力する領域である。
【０２４１】
「確認」ボタン７６４は、取引レバレッジ倍率選択領域７６２で選択された取引レバレッジ倍率の値と、銀行預金リミット金額入力領域７６３で入力された銀行預金リミット金額とを設定する場合に押下されるボタンである。「確認」ボタン７６４が押下されると、取引レバレッジ倍率選択領域７６２で選択された取引レバレッジ倍率の値と、銀行預金リミット金額入力領域７６３で入力された銀行預金リミット金額とが、図７に示すＦＸ顧客管理情報データベース４４０の取引レバレッジ倍率４４６および銀行預金リミット金額４４７に記録される。
【０２４２】
「戻る」ボタン７６５は、表示画面を外国為替証拠金取引メニュー画面５１０に戻す場合に押下されるボタンである。
【０２４３】
以上で設定された取引レバレッジ倍率および銀行預金リミット金額に基づいて、外国為替証拠金取引において、顧客の銀行口座からＦＸ口座に自動で振替が可能である。なお、図２９および図３０では、レバレッジ倍率を用いた例について説明したが、証拠金維持率を用いて行うようにしてもよい。この場合には、「最低」を「最高」等として行うことができる。
【０２４４】
図３１は、本発明の実施の形態におけるロスカット情報保持部４９４を模式的に示す図である。ロスカット情報保持部４９４には、ロスカットレベル４９５と、ロスカット確認間隔変更基準値Ｍ１（４９６）と、アラート基準値Ｍ２（４９７）と、プレアラート基準値Ｍ３（４９８）と、閾値Ｔ１（４９９）とが保持されている。
【０２４５】
ここで、本発明の実施の形態では、ロスカットレベルに近づいた顧客（ポジション）については、通常の顧客の確認間隔（評価額の計算間隔）よりも短い間隔でロスカットの要否確認を行うようにする。つまり、ロスカットレベルに近い顧客については、急激な為替レートの変動により予期せぬ損失を被る可能性が高いため、評価額の計算を通常時よりも短い間隔で行うことにし、顧客の損失拡大を防ぐことが可能となる。また、ロスカットレベルに近づいた顧客には、証拠金維持率に応じてプレアラート通知メールまたはアラート通知メールを送信することにより、為替レートの変動により予期せぬ損失を被る可能性がある旨の通知または警告を行うことにより、顧客の損失拡大を防ぐことが可能となる。
【０２４６】
ロスカットレベル４９５は、ロスカットの要否を確認するために、現在の証拠金維持率との比較に用いられる基準値であり、例えば、「３０％」が保持される。
【０２４７】
ロスカット確認間隔変更基準値Ｍ１（４９６）は、ロスカットの要否を確認する間隔を設定するために用いられる値であり、例えば、「４５％」が保持される。具体的には、現在の証拠金維持率とロスカット確認間隔変更基準値Ｍ１とが比較され、この比較結果に基づいて、ロスカットの要否を確認する間隔が設定される。すなわち、「現在の証拠金維持率の値≦ロスカット確認間隔変更基準値Ｍ１」である場合には、ＦＸ顧客管理情報データベース４４０のロスカット確認間隔フラグ４４９に「１」が記録され、２秒間隔でロスカットの要否確認が行われる。一方、「現在の証拠金維持率の値≦ロスカット確認間隔変更基準値Ｍ１」でない場合には、ＦＸ顧客管理情報データベース４４０のロスカット確認間隔フラグ４４９に「０」が記録され、１０秒間隔でロスカットの要否確認が行われる。
【０２４８】
アラート基準値Ｍ２（４９７）は、証拠金維持率が低下してロスカットされるおそれがあることを警告するためのアラート通知メールを送信するために用いられる値であり、例えば、「５０％」が保持される。具体的には、現在の証拠金維持率がアラート基準値Ｍ２に達した場合には、アラート通知メールが作成され、ＦＸ顧客管理情報データベース４４０の顧客情報４７１に格納されているメールアドレス等の連絡先にアラート通知メールが送信される。なお、アラート基準値Ｍ２は、図１９等に示す取引状況確認画面５７０のアラート基準額５８５の算出に用いられる値と同一である。
【０２４９】
プレアラート基準値Ｍ３（４９８）は、証拠金維持率が低下しつつあることを注意するためのプレアラート通知メールを送信するために用いられる値であり、例えば、「７５％」が保持される。具体的には、現在の証拠金維持率がプレアラート基準値Ｍ３に達した場合には、プレアラート通知メールが作成され、ＦＸ顧客管理情報データベース４４０の顧客情報４７１に格納されているメールアドレス等の連絡先にプレアラート通知メールが送信される。なお、プレアラート基準値Ｍ３は、図１９等に示す取引状況確認画面５７０のプレアラート基準額５８４の算出に用いられる値と同一である。また、ＦＸ顧客管理情報データベース４４０の顧客情報４７１に、複数の連絡先（例えば、携帯電話および顧客端末のメールアドレス）が格納されている場合には、これらの各連絡先にアラート通知メールやプレアラート通知メールが同時に送信される。
【０２５０】
閾値Ｔ１（４９９）は、有効証拠金およびこれに基づく証拠金維持率等の算出を促す有効証拠金算出トリガーを一定間隔で発生させるためのカウンタの閾値であり、例えば、「５」が保持される。具体的には、カウンタの値が閾値Ｔ１に達した場合には、全ての顧客がロスカット要否確認の対象とされ、カウンタの値が閾値Ｔ１未満の場合には、ロスカット確認間隔フラグ４４９に「１」が記録されている顧客がロスカット要否確認の対象とされる。すなわち、現在の証拠金維持率が、ロスカット確認間隔変更基準値Ｍ１に達した顧客については、有効証拠金算出トリガーを発生させる間隔が一定間隔よりも短い間隔に設定される。ここでは、証拠金維持率を用いた例について説明したが、レバレッジ倍率を用いて行う場合についても適用可能である。
【０２５１】
次に、本発明の実施の形態におけるＦＸサーバ４００の動作について図面を参照して説明する。
【０２５２】
図３２は、本発明の実施の形態におけるＦＸサーバ４００による取引状況確認画面情報送信処理の処理手順を示すフローチャートである。
【０２５３】
ここで、図１１に示す外国為替証拠金取引メニュー画面５１０において、ユーザ１５０が「取引状況確認画面表示」ボタン５１４をカーソル２６１を用いて押下すると、顧客端末２００が取引状況確認画面を要求するための取引状況確認画面要求をＦＸサーバ４００に送信する。そして、ネットワーク通信制御部４８０が、制御部取引状況確認画面要求を顧客端末２００から受信したか否かを判断する（ステップＳ９１１）。取引状況確認画面要求を顧客端末２００から受信していない場合には（ステップＳ９１１）、取引状況確認画面要求を受信するまで監視を継続する。
【０２５４】
ネットワーク通信制御部４８０が、取引状況確認画面要求を顧客端末２００から受信した場合には（ステップＳ９１１）、制御部４２０が、外国為替市場１６０から現在の為替レートをネットワーク通信制御部４８０を介して取得する（ステップＳ９１２）。続いて、制御部４２０が、甲田一郎の証拠金額４５４の値をＦＸ証拠金データベース４５０から取得するとともに、甲田一郎の取引金額４６４の値をＦＸ取引実績データベース４６０から取得する（ステップＳ９１３）。
【０２５５】
続いて、制御部４２０が、設定されている最大レバレッジ倍率および取得された取引金額に基づいて、必要証拠金を算出する（ステップＳ９１４）。続いて、制御部４２０が、取得された為替レートに基づいて、取得された取引金額における評価損益を計算し、この評価損益を、取得された証拠金額に加味した有効証拠金額を算出する（ステップＳ９１５）。続いて、制御部４２０が、算出された必要証拠金および有効証拠金に基づいて証拠金維持率を算出する（ステップＳ９１６）。続いて、制御部４２０が、算出された有効証拠金および取得された取引金額に基づいてレバレッジ倍率を算出する（ステップＳ９１７）。続いて、表示制御部４９０が、算出された証拠金維持率およびレバレッジ倍率、現在の為替レート、証拠金、取引金額等を含む取引状況確認画面５７０を表示させるための取引状況確認画面情報を作成する（ステップＳ９１８）。続いて、表示制御部４９０が、作成された取引状況確認画面情報を顧客端末２００に送信する（ステップＳ９１９）。この取引状況確認画面情報を顧客端末２００が受信すると、顧客端末２００は取引状況確認画面５７０を表示する。
【０２５６】
図３３は、本発明の実施の形態におけるＦＸサーバ４００による証拠金不足通知画面情報送信処理の処理手順を示すフローチャートである。
【０２５７】
最初に、ネットワーク通信制御部４８０が、外国為替証拠金取引画面を要求するための外国為替証拠金取引画面要求を顧客端末２００から受信したか否かを判断する（ステップＳ９２１）。外国為替証拠金取引画面要求を顧客端末２００から受信していない場合には（ステップＳ９２１）、外国為替証拠金取引画面要求を受信するまで監視を継続する。
【０２５８】
外国為替証拠金取引画面要求を顧客端末２００から受信した場合には（ステップＳ９２１）、表示制御部４９０が、外国為替証拠金取引画面を表示させるための外国為替証拠金取引画面情報を顧客端末２００に送信する（ステップＳ９２２）。例えば、図２５に示す外国為替証拠金取引画面７２０を表示させるための外国為替証拠金取引画面情報が顧客端末２００に送信される。
【０２５９】
続いて、ネットワーク通信制御部４８０が、外国為替証拠金取引の内容を確認するための取引内容確認情報を顧客端末２００から受信したか否かを判断する（ステップＳ９２３）。例えば、図２５に示す外国為替証拠金取引画面７２０において「確認」ボタン７２５が顧客に押下されることにより、顧客端末２００から取引内容確認情報が送信される。取引内容確認情報を顧客端末２００から受信していない場合には（ステップＳ９２３）、取引内容確認情報を受信するまで監視を継続する。
【０２６０】
取引内容確認情報を顧客端末２００から受信した場合には（ステップＳ９２３）、制御部４２０が、受信された取引内容確認情報に含まれる最大レバレッジ倍率および取引金額に基づいて必要証拠金を算出する（ステップＳ９２４）。続いて、制御部４２０が、甲田一郎の証拠金額４５４の値（現在の証拠金額）をＦＸ証拠金データベース４５０から取得する（ステップＳ９２５）。続いて、制御部４２０が、取得された現在の証拠金額および算出された必要証拠金を比較し、「現在の証拠金額≧必要証拠金」であるか否かを判断する（ステップＳ９２６）。
【０２６１】
「現在の証拠金額≧必要証拠金」である場合には（ステップＳ９２６）、表示制御部４９０が、外国為替注文発注画面を表示させるための外国為替注文発注画面情報を作成し（ステップＳ９２７）、作成された外国為替注文発注画面情報を顧客端末２００に送信する（ステップＳ９２８）。例えば、図２７に示す外国為替注文発注画面７３０を表示させるための外国為替注文発注画面情報が顧客端末２００に送信される。続いて、顧客端末２００に表示されている外国為替注文発注画面における操作入力に応じて、外国為替証拠金取引処理が実行される（ステップＳ９２９）。例えば、外国為替注文発注画面７３０において「注文発注」ボタン７１３が押下された場合には、注文発注内容表示領域７３１に表示されている取引内容で外国為替取引処理が行われる。
【０２６２】
一方、「現在の証拠金額≧必要証拠金」でない場合には（ステップＳ９２６）、表示制御部４９０が、現在の証拠金額と必要証拠金との差分値である不足金額を含む証拠金不足通知画面を表示させるための証拠金不足通知画面情報を作成し（ステップＳ９３０）、作成された証拠金不足通知画面情報を顧客端末２００に送信する（ステップＳ９３１）。例えば、図２８に示す証拠金不足通知画面７４０を表示させるための証拠金不足通知画面情報が顧客端末２００に送信される。続いて、顧客端末２００に表示されている証拠金不足通知画面における操作入力に応じて、証拠金入金処理が実行される（ステップＳ９３２）。例えば、証拠金不足通知画面７４０において「証拠金入金」ボタン７４３が押下された場合には、図１２に示す口座振替入金画面５３０が表示され、証拠金入金処理が行われる。なお、例えば、外国為替注文発注画面７３０および証拠金不足通知画面７４０において「戻る」ボタン７１４または７４４が押下された場合には、図２５に示す外国為替証拠金取引画面７２０が顧客端末２００に表示される。
【０２６３】
図３４は、本発明の実施の形態におけるＦＸサーバ４００による最低レバレッジ倍率到達通知送信処理の処理手順を示すフローチャートである。
【０２６４】
最初に、制御部４２０が、外国為替市場１６０から現在の為替レートをネットワーク通信制御部４８０を介して取得する（ステップＳ９４１）。続いて、制御部４２０が、甲田一郎の証拠金額４５４の値をＦＸ証拠金データベース４５０から取得するとともに、甲田一郎の取引金額４６４の値をＦＸ取引実績データベース４６０から取得する（ステップＳ９４２）。
【０２６５】
続いて、制御部４２０が、取得された為替レートに基づいて、取得された取引金額における評価損益を計算し、この評価損益を、取得された証拠金額に加味した有効証拠金額を算出する（ステップＳ９４３）。続いて、制御部４２０が、算出された有効証拠金および取得された取引金額に基づいてレバレッジ倍率を算出する（ステップＳ９４４）。続いて、制御部４２０が、ＦＸ顧客管理情報データベース４４０の最低レバレッジ倍率４４８に記録されている最低レバレッジ倍率の値と、算出されたレバレッジ倍率の値とを比較して、「算出されたレバレッジ倍率の値≦最低レバレッジ倍率の値」であるか否かを判断する（ステップＳ９４５）。「算出されたレバレッジ倍率の値≦最低レバレッジ倍率の値」でない場合には（ステップＳ９４５）、最低レバレッジ倍率到達通知送信処理の動作を終了する。
【０２６６】
「算出されたレバレッジ倍率の値≦最低レバレッジ倍率の値」である場合には（ステップＳ９４５）、表示制御部４９０が、現在のレバレッジ倍率が最低レバレッジ倍率に到達した旨を示す通知メールを作成し（ステップＳ９４６）、この通知メールを顧客端末２００に送信する（ステップＳ９４７）。この通知メールは、ＦＸ顧客管理情報データベース４４０の顧客情報４７１に格納されているメールアドレス等の連絡先に基づいて送信される。
【０２６７】
図３５は、本発明の実施の形態におけるＦＸサーバ４００による証拠金自動振替処理の処理手順を示すフローチャートである。
【０２６８】
最初に、制御部４２０が、外国為替市場１６０から現在の為替レートをネットワーク通信制御部４８０を介して取得する（ステップＳ９５１）。続いて、制御部４２０が、甲田一郎の証拠金額４５４の値をＦＸ証拠金データベース４５０から取得するとともに、甲田一郎の取引金額４６４の値をＦＸ取引実績データベース４６０から取得する（ステップＳ９５２）。
【０２６９】
続いて、制御部４２０が、取得された為替レートに基づいて、取得された取引金額における評価損益を計算し、この評価損益を、取得された証拠金額に加味した有効証拠金額を算出する（ステップＳ９５３）。続いて、制御部４２０が、算出された有効証拠金および取得された取引金額に基づいてレバレッジ倍率を算出する（ステップＳ９５４）。続いて、制御部４２０が、ＦＸ顧客管理情報データベース４４０の取引レバレッジ倍率４４６に記録されている取引レバレッジ倍率の値と、算出されたレバレッジ倍率の値とを比較して、「算出されたレバレッジ倍率の値≧取引レバレッジ倍率の値」であるか否かを判断する（ステップＳ９５５）。「算出されたレバレッジ倍率の値≧取引レバレッジ倍率の値」でない場合には（ステップＳ９５５）、証拠金自動振替処理の動作を終了する。
【０２７０】
「算出されたレバレッジ倍率の値≧取引レバレッジ倍率の値」である場合には（ステップＳ９５５）、制御部４２０が、専用回線１３０を介して、甲田一郎の普通預金口座および外貨預金口座の預金残高を要求するための銀行口座残高情報要求を銀行サーバ３００に送信する（ステップＳ９５６）。続いて、甲田一郎の普通預金口座および外貨預金口座の預金残高を含む銀行口座残高情報を銀行サーバ３００から受信したか否かを判断し（ステップＳ９５７）、甲田一郎の銀行口座残高情報を銀行サーバ３００から受信していない場合には（ステップＳ９５７）、甲田一郎の銀行口座残高情報を受信するまで監視を継続する。
【０２７１】
甲田一郎の銀行口座残高情報を銀行サーバ３００から受信した場合には（ステップＳ９５７）、制御部４２０が、受信された銀行口座残高情報に含まれる甲田一郎の普通預金口座および外貨預金口座の預金残高の合計値と、ＦＸ顧客管理情報データベース４４０の銀行預金リミット金額４４７に記録されている銀行預金リミット金額の値とを比較して、「預金残高の合計値≧銀行預金リミット金額の値」であるか否かを判断する（ステップＳ９５８）。「預金残高の合計値≧銀行預金リミット金額の値」でない場合には（ステップＳ９５８）、証拠金自動振替処理の動作を終了する。
【０２７２】
「預金残高の合計値≧銀行預金リミット金額の値」である場合には（ステップＳ９５８）、制御部４２０が、「算出されたレバレッジ倍率の値＜取引レバレッジ倍率の値」となる振替金額を算出する（ステップＳ９５９）。続いて、制御部４２０が、「預金残高の合計値−振替金額≧銀行預金リミット金額の値」であるか否かを判断する（ステップＳ９６０）。「預金残高の合計値−振替金額≧銀行預金リミット金額の値」でない場合には（ステップＳ９６０）、証拠金自動振替処理の動作を終了する。
【０２７３】
「預金残高の合計値−振替金額≧銀行預金リミット金額の値」である場合には（ステップＳ９６０）、制御部４２０が、専用回線１３０を介して、算出された振替金額を甲田一郎の銀行口座からＦＸ会社の銀行口座に振替える口座振替処理を銀行サーバ３００に実行させるための資金振替要求を銀行サーバ３００に送信する（ステップＳ９６１）。銀行サーバ３００が資金振替要求を受信すると、受信された資金振替要求に係る資金移動処理を実行する。
【０２７４】
続いて、資金移動処理が完了した旨を通知するための資金移動処理完了通知を銀行サーバ３００から受信したか否かを判断し（ステップＳ９６２）、資金移動処理完了通知を銀行サーバ３００から受信していない場合には、資金移動処理完了通知を受信するまで監視を継続する。資金移動処理完了通知を銀行サーバ３００から受信した場合には（ステップＳ９６２）、受信された資金移動処理完了通知に係る証拠金入金処理を実行する（ステップＳ９６３）。
【０２７５】
図３６および図３７は、本発明の実施の形態におけるＦＸサーバ４００によるロスカット実行処理の処理手順を示すフローチャートである。この例では、甲田一郎のＦＸ口座についてロスカット実行処理を行う場合について説明する。また、この処理手順は、例えば、２秒間隔で行われる。
【０２７６】
最初に、カウンタｉが「０」に初期化されるとともに、ＦＸ顧客管理情報データベース４４０のロスカット確認間隔フラグ４４９が「０」（フラグオフ）に初期化される（ステップＳ９７１）。続いて、制御部４２０が、外国為替市場１６０から現在の為替レートをネットワーク通信制御部４８０を介して取得する（ステップＳ９７２）。続いて、カウンタｉが「０」であるか否かが判断され（ステップＳ９７３）、カウンタｉが「０」である場合には、ステップＳ９７５に進む。一方、カウンタｉが「０」でない場合には（ステップＳ９７３）、ＦＸ顧客管理情報データベース４４０の甲田一郎のロスカット確認間隔フラグ４４９が「１」（フラグオン）であるか否かが判断される（ステップＳ９７４）。甲田一郎のロスカット確認間隔フラグ４４９が「１」（フラグオン）でない場合には（ステップＳ９７４）、ステップＳ９９０に進む。
【０２７７】
甲田一郎のロスカット確認間隔フラグ４４９が「１」（フラグオン）である場合には（ステップＳ９７４）、制御部４２０が、甲田一郎の証拠金額４５４の値をＦＸ証拠金データベース４５０から取得するとともに、甲田一郎の取引金額４６４の値をＦＸ取引実績データベース４６０から取得する（ステップＳ９７５）。続いて、制御部４２０が、設定されている最大レバレッジ倍率および取得された取引金額に基づいて、必要証拠金を算出する（ステップＳ９７６）。続いて、制御部４２０が、取得された為替レートに基づいて、取得された取引金額における評価損益を計算し、この評価損益を、取得された証拠金額に加味した有効証拠金額を算出する（ステップＳ９７７）。続いて、制御部４２０が、算出された必要証拠金および有効証拠金に基づいて証拠金維持率を算出する（ステップＳ９７８）。続いて、制御部４２０が、ロスカット情報保持部４９４のロスカットレベル４９５に記録されているロスカットレベルの値と、算出された証拠金維持率の値とを比較して、「証拠金維持率≦ロスカットレベル」であるか否かを判断する（ステップＳ９７９）。「証拠金維持率≦ロスカットレベル」である場合には（ステップＳ９７９）、ロスカット実行処理が行われる（ステップＳ９８０）。
【０２７８】
「証拠金維持率≦ロスカットレベル」でない場合には（ステップＳ９７９）、制御部４２０が、ロスカット情報保持部４９４のロスカット確認間隔変更基準値Ｍ１（４９６）に記録されている値を用いて、「証拠金維持率≦ロスカット確認間隔変更基準値Ｍ１」であるか否かを判断する（ステップＳ９８１）。「証拠金維持率≦ロスカット確認間隔変更基準値Ｍ１」である場合には（ステップＳ９８１）、ＦＸ顧客管理情報データベース４４０の甲田一郎のロスカット確認間隔フラグ４４９に「１」が記録（フラグオンに設定）される（ステップＳ９８２）。一方、「証拠金維持率≦ロスカット確認間隔変更基準値Ｍ１」でない場合には（ステップＳ９８２）、ＦＸ顧客管理情報データベース４４０の甲田一郎のロスカット確認間隔フラグ４４９に「０」が記録（フラグオフに設定）される（ステップＳ９８３）。
【０２７９】
続いて、制御部４２０が、ロスカット情報保持部４９４のアラート基準値Ｍ２（４９７）に記録されている値を用いて、「証拠金維持率≦アラート基準値Ｍ２」であるか否かを判断する（ステップＳ９８４）。「証拠金維持率≦アラート基準値Ｍ２」である場合には（ステップＳ９８４）、表示制御部４９０が、アラート通知メールを作成し（ステップＳ９８５）、ＦＸ顧客管理情報データベース４４０の顧客情報４７１に格納されているメールアドレス等の連絡先にアラート通知メールを送信する（ステップＳ９８６）。
【０２８０】
一方、「証拠金維持率≦アラート基準値Ｍ２」でない場合には（ステップＳ９８４）、制御部４２０が、ロスカット情報保持部４９４のプレアラート基準値Ｍ３（４９８）に記録されている値を用いて、「証拠金維持率≦プレアラート基準値Ｍ３」であるか否かを判断する（ステップＳ９８７）。「証拠金維持率≦プレアラート基準値Ｍ３」である場合には（ステップＳ９８７）、表示制御部４９０が、プレアラート通知メールを作成し（ステップＳ９８８）、ＦＸ顧客管理情報データベース４４０の顧客情報４７１に格納されているメールアドレス等の連絡先にプレアラート通知メールを送信する（ステップＳ９８９）。
【０２８１】
続いて、制御部４２０が、ロスカット情報保持部４９４の閾値Ｔ１（４９９）に記録されている値を用いて、「カウンタｉ＜閾値Ｔ１」であるか否かを判断する（ステップＳ９９０）。「カウンタｉ＜閾値Ｔ１」である場合には（ステップＳ９９０）、カウンタｉに「１」が加算され（ステップＳ９９１）、「カウンタｉ＜閾値Ｔ１」でない場合には（ステップＳ９９０）、カウンタｉが「０」に初期化され（ステップＳ９９２）、ステップＳ９７２に戻る。
【０２８２】
以上では、外国為替証拠金取引を行う場合には、図２０または図２５に示す外国為替証拠金取引画面７００または７２０を用いる場合を例にして説明した。例えば、図２０に示す外国為替証拠金取引画面７００を用いて外国為替証拠金取引を行う場合には、売買に適用される為替レートを顧客が確認して売買を決定する。そして、「通貨ペア」選択領域７０１、「売買区分」選択領域７０２および「注文数量」入力領域７０３のそれぞれの操作入力を行った後に、「確認」ボタン７０４を押下して外国為替注文発注画面７１０を表示させる。そして、外国為替注文発注画面７１０において、売買の注文の発注を指示する注文発注情報をＦＸサーバ４００に送信するための「注文発注」ボタン７１３を押下する。すなわち、売買に適用される為替レートを顧客が確認するとともに、売買の注文の発注に係る所定事項の操作入力を順次行い、最終的な決定操作として、「注文発注」ボタン７１３を押下することにより、外国為替証拠金取引を行うことができる。
【０２８３】
ここで、為替レートは秒単位で変動するため、売買の決定から売買購入の最終的な決定操作までの間が長いと、所望の為替レートで取引を行うことができないおそれがある。例えば、売買の決定から売買購入の最終的な決定操作までの間に為替レートが１０銭変動することにより、数十万円の利益変動が発生することも想定される。このため、外国為替証拠金取引では、顧客が売買を決定した際における為替レートにより取引を行うことが重要である。
【０２８４】
そこで、以下では、定期的に取得された為替レートに係る売値を表示するとともに売り注文を指示するための売り注文発注ボタンと、定期的に取得された為替レートに係る買値を表示するとともに買い注文を指示するための買い注文発注ボタンとを用いることにより、所望の為替レートで即座に取引可能な外国為替証拠金取引方法を示す。
【０２８５】
最初に、ネットワーク１４０を介して顧客端末２００がＦＸサーバ４００にログインしている状態で、外国為替証拠金取引を行う場合について図面を参照して詳細に説明する。
【０２８６】
図３８乃至図４０は、ネットワーク１４０を介して顧客端末２００がＦＸサーバ４００にログインしている状態で、外国為替証拠金取引を行う場合における表示画面の遷移を示す図である。これらの表示画面については、図４１に示すシーケンスチャートを参照して詳細に説明する。なお、図３８に示す外国為替証拠金取引画面７７０は、図２０に示す外国為替証拠金取引画面７００の変形例であり、外国為替証拠金取引メニュー画面５１０（図１１に示す）における「外国為替証拠金取引」ボタン５１１が押下されると表示されるものとする。
【０２８７】
図４１は、ネットワーク１４０を介して顧客端末２００がＦＸサーバ４００にログインしている場合における外国為替証拠金取引処理を示すシーケンスチャートである。この例では、ユーザ（甲田一郎）１５０が顧客端末２００を用いて外国為替証拠金取引を行う場合について説明する。
【０２８８】
最初に、顧客端末２００に表示されている外国為替証拠金取引メニュー画面５１０（図１１に示す）において、「外国為替証拠金取引」ボタン５１１がカーソル２６１を用いて押下されると、外国為替証拠金取引画面を要求するための外国為替証拠金取引画面要求がＦＸサーバ４００に送信される（８５０）。顧客端末２００からの外国為替証拠金取引画面要求を受信すると（８５１）、ＦＸサーバ４００が、外国為替証拠金取引を行うための外国為替証拠金取引画面を表示させるための外国為替証拠金取引画面情報を作成する（８５２）。続いて、ＦＸサーバ４００が、作成された外国為替証拠金取引画面情報を顧客端末２００に送信する（８５３）。ＦＸサーバ４００からの外国為替証拠金取引画面情報を顧客端末２００が受信すると（８５４）、受信された外国為替証拠金取引画面情報に基づいて外国為替証拠金取引画面を表示部２６０に表示する（８５５）。
【０２８９】
図３８は、表示部２６０に表示（８５５）される表示画面の一例である外国為替証拠金取引画面７７０を示す図である。外国為替証拠金取引画面７７０には、「ニュース」ボタン７７１と、「通貨ペア」選択領域７７２と、「Ｂｉｄ（売）」表示領域７７３と、「Ａｓｋ（買）」表示領域７７４と、「前日比（Ｂｉｄ）」表示領域７７５と、「高値（Ｂｉｄ）」表示領域７７６と、「安値（Ａｓｋ）」表示領域７７７と、取引状況表示領域７７８と、お知らせ情報表示領域７７９とが設けられている。ここで、これまでは、説明の容易のため、外国為替証拠金取引を行う際に、外貨および円を交換するための売値および買値に係る為替レートとして、共通する為替レートを用いた場合を例にして説明した。しかしながら、外国為替証拠金取引を行う際には、一般に、外貨を円に換えるための為替レート（Ｂｉｄ：売値）と、円を外貨に換えるための為替レート（Ａｓｋ：買値）とが用いられる。そこで、以下では、外国為替証拠金取引を行う際にＢｉｄ（売値）およびＡｓｋ（買値）を用いる場合を例にして説明する。
【０２９０】
「ニュース」ボタン７７１は、外国為替証拠金取引に関するニュース情報を顧客が閲覧する場合に押下されるボタンである。ユーザ１５０がニュース情報を閲覧する場合には、例えば、外国為替証拠金取引画面７７０において、ユーザ１５０がカーソル２６１を用いて「ニュース」ボタン７７１を押下する。これにより、ニュース情報の送信要求がＦＸサーバ４００に送信される。このニュース情報の送信要求を受信すると、ＦＸサーバ４００はＦＸ顧客管理情報データベース４４０の優遇フラグ４７２が「１」（フラグオン）であるか否かを判断する。そして、優遇フラグ４７２が「１」（フラグオン）である場合には、ＦＸサーバ４００は、通常よりも優遇されたニュース情報が掲載されているニュース画面を表示させるためのリンク情報を顧客端末２００に送信する。一方、優遇フラグ４７２が「０」（フラグオフ）である場合には、ＦＸサーバ４００は、通常のニュース情報が掲載されているニュース画面を表示させるためのリンク情報を顧客端末２００に送信する。そして、これらのリンク情報を顧客端末２００が受信すると、表示部２６０にニュース画面（図示せず）が表示される。このように、外国為替証拠金取引画面７７０において、「ニュース」ボタン７７１を押下するのみで、外国為替証拠金取引に関する有用なニュース情報を顧客が容易に取得することができる。
【０２９１】
「通貨ペア」選択領域７７２は、取引の対象となる通貨の組合せを表示して選択させる領域である。取引の対象となる通貨の組合せを選択する場合には、「通貨ペア」選択領域７２２に表示されている通貨ペア一覧の中から、取引対象となる通貨の組合せを顧客がカーソル２６１を用いて押下する。なお、図３８に示す例では、通貨ペアとして表示される通貨の組合せについて、右側の通貨を用いて、左側の通貨を売買することを意味するものとする。すなわち、図３８に示す「ＵＳドル・円」は、日本円を用いてＵＳドルの売買を行う通貨の組合せである。また、図３８に示す例では、通貨ペア一覧として、「ＵＳドル・円」および「ユーロ・円」が表示される場合を示す。
【０２９２】
「Ｂｉｄ（売）」表示領域７７３は、現在の為替レートに応じた売値が表示される領域である。また、「Ａｓｋ（買）」表示領域７７４は、現在の為替レートに応じた買値が表示される領域である。これらの売値および買値は、外国為替証拠金取引の約定時に用いられる約定為替レートであり、ＦＸサーバ４００により順次取得された為替レートに基づいて順次更新されて表示される。すなわち、ＦＸサーバ４００が、定期的に取得する為替レートに、ＦＸ会社１２０により設定される売値および買値の差額（スプレッド）を加味して売値および買値を算出し、この算出された売値および買値を顧客端末２００に順次送信する。これにより、「Ｂｉｄ（売）」表示領域７７３および「Ａｓｋ（買）」表示領域７７４に表示される売値および買値が順次更新される。
【０２９３】
「前日比（Ｂｉｄ）」表示領域７７５は、「Ｂｉｄ（売）」表示領域７７３に表示されている売値と、前日の所定時刻の売値との差分値が表示される領域である。「高値（Ｂｉｄ）」表示領域７７６は、当日における売値の最高値が表示される領域である。また、「安値（Ａｓｋ）」表示領域７７７は、当日における買値の最安値が表示される領域である。なお、この例では、売値および買値に関する前日比、最高値、最安値のうちの一部の値のみを表示する例について説明するが、他の値を同時または別々に表示するようにしてもよい。
【０２９４】
取引状況表示領域７７８は、顧客の取引状況が表示される領域であり、例えば、「取引金額」、「有効証拠金」、「必要証拠金」、「証拠金維持率」、「レバレッジ倍率」が表示される。ここで、取引状況表示領域７７８に表示される顧客の取引状況の各値は、図１９、図２２等に示す取引状況確認画面５７０に表示される各値と同一であるため、計算方法等の詳細についての説明は省略する。ここで、取引状況表示領域７７８に表示される顧客の取引状況の各値は、ＦＸサーバ４００により順次取得された為替レートに基づいて順次更新されて表示される。すなわち、ＦＸサーバ４００が、定期的に取得する為替レートに基づいて顧客の取引状況の各値を算出し、この算出された各値を顧客端末２００に順次送信する。これにより、取引状況表示領域７７８に表示される顧客の取引状況の各値が順次更新される。このように、外国為替証拠金取引画面要求には、取引状況確認のための画面を要求する情報が含まれ、外国為替証拠金取引画面７７０の一部には、取引状況確認のための画面が含まれる。
【０２９５】
お知らせ情報表示領域７７９は、顧客に対するＦＸ会社１２０からの各種のお知らせが表示される領域である。
【０２９６】
図３８に示す外国為替証拠金取引画面７７０において、例えば、「通貨ペア」選択領域７７２に表示されている「ＵＳドル・円」の部分をユーザ１５０がカーソル２６１を用いて押下する（８５６）。この押下により、図３９に示す外国為替注文発注画面７８０が表示部２６０に表示される（８５７）。
【０２９７】
図３９は、表示部２６０に表示（８５７）される表示画面の一例である外国為替注文発注画面７８０を示す図である。外国為替注文発注画面７８０は、図３８に示す外国為替証拠金取引画面７７０において、お知らせ情報表示領域７７９が消去されるとともに、選択「通貨ペア」表示領域７８１と、「注文数量」入力領域７８３と、「注文確認」チェック領域７８４と、売り注文発注ボタン７８５と、買い注文発注ボタン７８６と、為替チャート選択領域７９１と、為替チャート表示領域７９３とが新たに設けられた画面である。このため、図３８に示す外国為替証拠金取引画面７７０と同一のものについては、ここでの説明を省略する。
【０２９８】
選択「通貨ペア」表示領域７８１は、顧客により選択された取引の対象となる通貨の組合せを表示させる領域である。すなわち、図３８に示す外国為替証拠金取引画面７７０の「通貨ペア」選択領域７７２において選択された通貨ペアが、選択「通貨ペア」表示領域７８１に表示される。また、選択「通貨ペア」表示領域７８１に表示されている通貨の組合せを変更する場合には、選択「通貨ペア」表示領域７８１に設けられているプルダウンボタン７８２を用いて変更することが可能である。すなわち、顧客がカーソル２６１を用いてプルダウンボタン７８２を押下して通貨ペア一覧を表示させ、この通貨ペア一覧の中から、取引対象となる通貨の組合せを顧客が選択することにより、通貨の組合せを変更することができる。
【０２９９】
「注文数量」入力領域７８３は、選択「通貨ペア」表示領域７８１に表示されている通貨ペアにより外国為替証拠金取引を行う際における取引金額である注文数量を入力する領域である。図３９では、「１（万ＵＳドル）」が入力された場合を示す。ここで、「注文数量」入力領域７８３の右隣には、選択「通貨ペア」表示領域７８１に表示されている通貨ペアに応じた通貨単位が表示される。例えば、選択「通貨ペア」表示領域７８１に「ＵＳドル・円」が表示されているため、通貨単位として「万ドル」が表示される。なお、外国為替証拠金取引では、１０，０００通貨単位での購入が一般に行われているため、通貨毎に１０，０００単位の一覧をプルダウンメニューにより表示させ、この一覧の中から、取引対象となる注文数量を選択させるようにしてもよい。
【０３００】
「注文確認」チェック領域７８４は、売り注文発注ボタン７８５および買い注文発注ボタン７８６のそれぞれを押下可能状態にするためにチェックマークが付される領域である。具体的には、「注文数量」入力領域７８３に注文数量が入力されたことを条件に、顧客がカーソル２６１を用いて「注文確認」チェック領域７８４を押下することが可能となり、この押下により、「注文確認」チェック領域７８４にチェックマークが付される。このチェックマークが付されている場合にのみ、売り注文発注ボタン７８５および買い注文発注ボタン７８６のそれぞれが押下可能状態となる。また、「注文確認」チェック領域７８４にチェックマークが付された場合には、選択「通貨ペア」表示領域７８１および「注文数量」入力領域７８３の変更が禁止される。このため、「注文確認」チェック領域７８４にチェックマークが付された後に、選択「通貨ペア」表示領域７８１または「注文数量」入力領域７８３の内容を変更する場合には、顧客がカーソル２６１を用いて「注文確認」チェック領域７８４を押下することにより、「注文確認」チェック領域７８４のチェックマークを消去する必要がある。このように、「注文確認」チェック領域７８４にチェックマークが付されている場合にのみ、売り注文発注ボタン７８５および買い注文発注ボタン７８６のそれぞれを押下可能状態とすることにより、顧客の誤操作による注文発注の発生を防止することができる。
【０３０１】
売り注文発注ボタン７８５は、選択「通貨ペア」表示領域７８１および「注文数量」入力領域７８３に表示されている内容に基づいて、売り注文を発注する際に押下されるボタンである。買い注文発注ボタン７８６は、選択「通貨ペア」表示領域７８１および「注文数量」入力領域７８３に表示されている内容に基づいて、買い注文を発注する際に押下されるボタンである。ここで、売り注文発注ボタン７８５および買い注文発注ボタン７８６は、「注文確認」チェック領域７８４にチェックマークが付されている状態でのみ押下可能となる。このように、売り注文発注ボタン７８５および買い注文発注ボタン７８６が押下可能状態となった場合には、これらの各ボタンの表示態様を変更することにより、顧客に各ボタンが押下可能状態となったことを通知する。この表示態様の変更として、例えば、押下不可能状態では各ボタンを薄い表示とし、押下可能状態では各ボタンを濃い表示とすることができる。また、売り注文発注ボタン７８５には、「Ｂｉｄ（売）」表示領域７７３に表示されている売値のうち、選択「通貨ペア」表示領域７８１に表示されている通貨ペアに対応する売値が表示される。同様に、買い注文発注ボタン７８６には、「Ａｓｋ（買）」表示領域７７４に表示されている買値のうち、選択「通貨ペア」表示領域７８１に表示されている通貨ペアに対応する買値が表示される。これらの各ボタンに表示される売値および買値は、「Ｂｉｄ（売）」表示領域７７３および「Ａｓｋ（買）」表示領域７７４に表示されている売値および買値の更新と連動して順次更新される。このように、売買の注文を行う際に用いられる売り注文発注ボタン７８５および買い注文発注ボタン７８６に最新の売値および買値が表示されるため、顧客が売買の注文を行う際の判断をし易くすることができる。すなわち、売り注文発注ボタン７８５および買い注文発注ボタン７８６を見ていて、所望の売値または買値が表示された瞬間に、売買に応じたボタンを押下することにより、その所望の売値または買値による注文の発注を行うことができる。このように、所望の売値または買値による注文の発注を行うことができるため、注文操作のタイムラグにより、所望の売値または買値による注文の発注ができないことを防止することができる。
【０３０２】
為替チャート選択領域７９１は、為替チャート表示領域７９３に表示させる為替チャートをプルダウンボタン７９２を用いて選択するための領域である。具体的には、顧客がカーソル２６１を用いてプルダウンボタン７８２を押下して、選択「通貨ペア」表示領域７８１に表示されている通貨ペアの売値および買値の一覧を表示させ、この売値および買値の何れか一方を顧客が選択する。図３９では、通貨ペアの売値（「Ｂｉｄ（売）」）が選択されている場合を示す。
【０３０３】
為替チャート表示領域７９３は、選択「通貨ペア」表示領域７８１に表示されている通貨ペアについて、為替チャート選択領域７９１において選択された売値または買値に関する為替チャートが表示される領域である。例えば、現在時刻から１日前までの為替チャートが表示される。
【０３０４】
図３９に示す外国為替注文発注画面７８０において、例えば、「注文数量」入力領域７８３に「１（万ＵＳドル）」をユーザ１５０が入力する（８５８）。この入力により、カーソル２６１を用いて「注文確認」チェック領域７８４を押下することが可能な状態となる（８５９）。続いて、ユーザ１５０がカーソル２６１を用いて「注文確認」チェック領域７８４を押下することにより、「注文確認」チェック領域７８４にチェックマークが付される（８６０）。このように、「注文確認」チェック領域７８４にチェックマークが付されることにより、売り注文発注ボタン７８５および買い注文発注ボタン７８６のそれぞれが押下可能状態となる（８６１）。
【０３０５】
続いて、売り注文発注ボタン７８５および買い注文発注ボタン７８６が押下可能状態となっている場合に、ユーザ１５０がカーソル２６１を用いて売り注文発注ボタン７８５または買い注文発注ボタン７８６を押下する（８６２）。例えば、売り注文発注ボタン７８５および買い注文発注ボタン７８６が押下可能状態となっている場合に、所望する買値が買い注文発注ボタン７８６に表示された瞬間に、ユーザ１５０がカーソル２６１を用いて買い注文発注ボタン７８６を押下する（８６２）。買い注文発注ボタン７８６が押下されると（８６２）、買い注文発注ボタン７８６の押下の際における選択「通貨ペア」表示領域７８１の通貨ペアと「注文数量」入力領域７８３の数量とにより、買い注文の発注を指示する注文発注情報が、顧客端末２００からＦＸサーバ４００に送信される（８６３）。ＦＸサーバ４００が注文発注情報を受信すると（８６４）、注文発注情報に係る取引内容で外国為替取引処理を行う（８６５）。すなわち、買い注文発注ボタン７８６の押下の際における選択「通貨ペア」表示領域７８１の通貨ペアと、「注文数量」入力領域７８３の数量と、押下の際に買い注文発注ボタン７８６に表示されていた買値とにより、買い注文を行う外国為替取引処理が行われる（８６５）。すなわち、買い注文発注ボタン７８６の押下操作（注文指示操作）が行われた際に、買い注文発注ボタン７８６に表示されていた買値が、注文指示に係る約定為替レートとして確定する。続いて、外国為替取引処理が終了した後に、この外国為替取引処理に係る取引内容の結果を通知するための取引結果通知情報が、ＦＸサーバ４００から顧客端末２００に送信される（８６６）。取引結果通知情報を顧客端末２００が受信すると（８６７）、図４０に示す外国為替取引結果通知画面８００が表示部２６０に表示される（８５８）。
【０３０６】
図４０は、表示部２６０に表示（８５７）される表示画面の一例である外国為替取引結果通知画面８００を示す図である。外国為替取引結果通知画面８００には、取引状況表示領域７７８と、お知らせ情報表示領域７７９と、取引結果表示領域８０１と、「外国為替証拠金取引画面へ」ボタン８０２と、「外国為替証拠金取引メニュー画面へ」ボタン８０３とが設けられている。なお、取引状況表示領域７７８およびお知らせ情報表示領域７７９については、図３８に示すものと同一であるため、ここでの説明を省略する。
【０３０７】
取引結果表示領域８０１は、外国為替注文発注画面７８０を用いて行われた外国為替証拠金取引の取引結果が表示される領域である。ここでは、図３９に示す外国為替注文発注画面７８０において買い注文発注ボタン７８６が押下された場合における取引内容の結果を示す。具体的には、「通貨ペア」には、買い注文発注ボタン７８６の押下の際に選択「通貨ペア」表示領域７８１に表示されていた通貨ペアが表示される。また、「取引数量」には、買い注文発注ボタン７８６の押下の際に「注文数量」入力領域７８３に表示されていた値が表示される。また、「売買区分」には、押下された買い注文発注ボタン７８６に対応する「買」が表示される。また、「為替レート」には、買い注文発注ボタン７８６の押下の際に買い注文発注ボタン７８６に表示されていた買値が表示される。
【０３０８】
「外国為替証拠金取引画面へ」ボタン８０２は、図３８に示す外国為替証拠金取引画面７７０を表示させる際に押下されるボタンである。
【０３０９】
「外国為替証拠金取引メニュー画面へ」ボタン８０３は、図１１（ｂ）に示す外国為替証拠金取引メニュー画面５１０を表示させる際に押下されるボタンである。
【０３１０】
次に、本発明の実施の形態における顧客端末２００の動作について図面を参照して説明する。
【０３１１】
図４２は、本発明の実施の形態における顧客端末２００による外国為替証拠金取引処理の処理手順を示すフローチャートである。
【０３１２】
最初に、顧客の操作入力により、図１１（ｂ）に示す外国為替証拠金取引メニュー画面５１０が表示部２６０に表示される（ステップＳ１００１）。続いて、外国為替証拠金取引メニュー画面５１０において、「外国為替証拠金取引」ボタン５１１がカーソル２６１を用いて押下される（ステップＳ１００２）。この押下により、外国為替証拠金取引画面を要求するための外国為替証拠金取引画面要求がＦＸサーバ４００に送信される（ステップＳ１００３）。続いて、ＦＸサーバ４００から外国為替証拠金取引画面情報を受信すると（ステップＳ１００４）、受信された外国為替証拠金取引画面情報に基づいて外国為替証拠金取引画面７７０が表示部２６０に表示される（ステップＳ１００５）。
【０３１３】
続いて、外国為替証拠金取引画面７７０において、「通貨ペア」選択領域７７２に表示されている通貨ペア一覧の中から、取引対象となる通貨の組合せを選択する選択操作が行われたか否かが判断される（ステップＳ１００６）。この選択操作が行われていない場合には、この選択操作が行われるまで監視を継続する。また、この選択操作が行われた場合には（ステップＳ１００６）、選択された通貨の組合せが選択「通貨ペア」表示領域７８１に表示されている外国為替注文発注画面が表示部２６０に表示される（ステップＳ１００７）。例えば、外国為替証拠金取引画面７７０において「通貨ペア」選択領域７７２に表示されている「ＵＳドル・円」の部分が押下された場合には、図３９に示す外国為替注文発注画面７８０が表示される（ステップＳ１００７）。
【０３１４】
続いて、外国為替注文発注画面７８０において、「注文数量」入力領域７８３に注文数量の値を入力する入力操作が行われたか否かが判断される（ステップＳ１００８）。この入力操作が行われていない場合には、この入力操作が行われるまで監視を継続する。また、この入力操作が行われた場合には（ステップＳ１００８）、「注文確認」チェック領域７８４が押下可能状態とされる（ステップＳ１００９）。
【０３１５】
続いて、カーソル２６１を用いて「注文確認」チェック領域７８４を押下することにより、「注文確認」チェック領域７８４にチェックマークが付すチェック操作が行われたか否かが判断される（ステップＳ１０１０）。このチェック操作が行われていない場合には、このチェック操作が行われるまで監視を継続する。また、このチェック操作が行われた場合には（ステップＳ１０１０）、売り注文発注ボタン７８５および買い注文発注ボタン７８６のそれぞれが押下可能状態とされる（ステップＳ１０１１）。
【０３１６】
続いて、カーソル２６１を用いて売り注文発注ボタン７８５または買い注文発注ボタン７８６を押下する押下操作が行われたか否かが判断される（ステップＳ１０１２）。この押下操作が行われていない場合には、この押下操作が行われるまで監視を継続する。また、この押下操作が行われた場合には（ステップＳ１０１２）、押下されたボタンに応じた注文の発注を指示する注文発注情報がＦＸサーバ４００に送信される（ステップＳ１０１３）。続いて、ＦＸサーバ４００から注文発注情報を受信したか否かが判断される（ステップＳ１０１４）。注文発注情報を受信していない場合には、注文発注情報を受信するまで監視を継続する。また、注文発注情報を受信した場合には（ステップＳ１０１４）、受信された注文発注情報に基づいて外国為替取引結果通知画面が表示部２６０に表示される（ステップＳ１０１５）。例えば、図４０に示す外国為替取引結果通知画面８００が表示される。このように、売り注文発注ボタン７８５または買い注文発注ボタン７８６の押下操作（注文指示操作）が行われた際に、押下されたボタンに表示されていた値が、注文指示に係る約定為替レートとして確定する。
【０３１７】
ここで、図３８乃至図４２に示す例では、注文を行う際におけるＦＸ執行パスワードの入力を省略して示すが、例えば、図３８に示す外国為替証拠金取引画面７７０を表示させる直前、または、図３９に示す外国為替注文発注画面７８０を表示させる直前にＦＸ執行パスワード入力画面を表示させるようにしてもよい。この場合には、このＦＸ執行パスワード入力画面において入力されたＦＸ執行パスワードの認証がされたことを条件に次の画面表示をする。
【０３１８】
このように、最終的な決定操作を行うための売り注文発注ボタン７８５および買い注文発注ボタン７８６に表示される売値および買値を見ながら、所望の売値または買値になったボタンを押下することにより、外国為替証拠金取引を行うことができる。また、注文の売買区分についても、為替レートの変動に応じたボタンを押下することにより、瞬時に決定して外国為替証拠金取引を行うことができる。これにより、顧客が売買を決定した際における為替レートにより取引を行うことができる。また、取引を行う際に、取引状況表示領域７７８に表示される顧客の取引状況を確認することができるため、現在までの取引内容を把握しながら、外国為替証拠金取引を行うことができる。
【０３１９】
以上で示したように、本発明の実施の形態によれば、顧客に対する他の事業者との差別化に広く使用されていたレバレッジ倍率について、顧客が建玉（ポジション）を確立した後においても、顧客自身がポジション管理においてレバレッジ倍率を容易に確認することができる。すなわち、外国為替証拠金取引の本来の本質であるレバレッジの効いた取引について、為替相場の影響により、顧客が取引開始時に想定していたレバレッジからどの程度離れているのかを容易に確認することができる。また、ＦＸ会社１２０は、外国為替証拠金取引の特徴であるレバレッジ倍率の状況と、主にロスカット管理の基準となる証拠金維持率とを同時に表示することによって、顧客が把握し易い内容で、ポジションの管理を促すことが可能である。これにより、顧客は、取引状況を容易に把握することができる。
【０３２０】
また、外国為替証拠金取引は、為替レートの変動の影響を受けやすいため、例えば、顧客が取引状況確認画面において取引状況を確認した直後でも、証拠金維持率およびレバレッジ倍率が大きく変動する可能性がある。このため、例えば、顧客が取引状況確認画面を表示させ、この取引状況確認画面において有効証拠金等の取引内容に問題がないと判断し、顧客端末から離れた場合や顧客端末を他の画面表示に変更したような場合に、証拠金維持率およびレバレッジ倍率が大きく変動する可能性がある。このような場合でも、ＦＸサーバ４００は、証拠金維持率の計算およびアラートまたはプレアラート通知メールの送信の要否判定を一定間隔で行っているため、証拠金維持率およびレバレッジ倍率が大きく変動した場合には、アラートまたはプレアラート通知メールが顧客指定の連絡先（例えば、顧客が常時所有している携帯端末等）に送信される。これにより、取引状況確認画面の確認の直後でも取引状況に関する通知を顧客に迅速に確実に伝えることができる。
【０３２１】
なお、従来では、ＦＸ会社のオンラインシステム上でＦＸ会社の外国為替証拠金取引を行っている場合において、証拠金の入出金を行う必要が生じた場合には、銀行のオンラインシステム上に戻り、口座一覧画面を参照してから、他の操作画面で口座振替の操作を行う必要がある。また、証拠金として外貨を入出金することはできなかった。これに対して、本発明の実施の形態では、証拠金として外貨を入出金することができ、外国為替証拠金取引において証拠金に関する口座間の資金移動に係る顧客の負担を低減させることができる。すなわち、銀行１１０の円普通預金または外貨普通預金をリアルタイムでＦＸ口座に入金することが可能であり、外国為替証拠金取引の証拠金を入金する入金操作が容易である。
【０３２２】
また、外国為替証拠金取引においては、取引を安全かつ円滑に行うようにするため、取引の概要を把握することが重要である。しかしながら、従来技術では、取引の概要を顧客が容易に把握することは困難であった。
【０３２３】
そこで、本発明の実施の形態では、外国為替証拠金取引の取引内容を容易に把握することができるようにする。
【０３２４】
なお、本発明の実施の形態では、ＦＸ会社１２０が外国為替証拠金取引を行う場合について説明したが、銀行１１０が外国為替証拠金取引を行う場合についても本発明の実施の形態を適用することができる。例えば、銀行１１０が外国為替証拠金取引を行う場合には、銀行１１０に銀行サーバ３００およびＦＸサーバ４００を設置する。ここで、ＦＸ会社１２０が外国為替証拠金取引を行う場合における資金の流れについては、顧客からの証拠金がＦＸ会社１２０の銀行口座に振り込まれた場合（入金の場合）、または、顧客の証拠金がＦＸ会社１２０の銀行口座から顧客の銀行口座に振り替えられた場合（出金の場合）には、その顧客の名義や入金日時等の入出金履歴データがＦＸ証拠金データベース４５０に記録されて管理される。そして、この管理情報に基づいて各顧客のＦＸ口座の情報がＦＸサーバ４００において順次更新される。一方、銀行１１０が外国為替証拠金取引を行う場合には、銀行１１０が銀行口座およびＦＸ口座を管理することになる。この場合、銀行１１０にはＦＸ専用の口座を設けず、顧客のＦＸの証拠金に関する入金日時等の入出金履歴データを、例えば、別段預金口座に管理しておき、この入出金履歴データに基づいて外国為替証拠金取引が行われる。この別段預金口座は、一般的に、金融機関の預金や融資、為替取引、代理事務等に付随して発生する未決済または未整理の一時的資金や預り金を保管するために設けられている預金口座であり、顧客の銀行口座番号に関連付けて開設されている。この別段預金口座に関する入出記録や残高情報等の別段預金口座情報が記録される別段預金口座データベースが銀行サーバ３００に設けられ、ＦＸ証拠金データベース４５０の代わりに用いられる。
【０３２５】
なお、本発明の実施の形態では、日本円を用いて外貨の売買を行うことにより、外国為替証拠金取引を行う例について説明したが、外貨を用いて、これとは異なる通貨の売買を行う外国為替証拠金取引についても本発明の実施の形態を適用することが可能である。
【０３２６】
また、本発明の実施の形態では、銀行サーバ３００またはＦＸサーバ４００における認証処理としてパスワードを用いて本人認証を行う例について説明したが、顔や指紋等の生体情報に基づいて本人認証を行う生体認証等の他の本人認証を用いるようにしてもよい。
【０３２７】
また、本発明の実施の形態では、専用回線１３０を用いて銀行サーバ３００とＦＸサーバ４００との間で各情報を送受信する例について説明したが、銀行サーバ３００とＦＸサーバ４００との間で行われる各情報の送受信を、ｈｔｔｐリダイレクト機能を用いて、顧客端末２００を介して行うようにしてもよい。
【０３２８】
また、本発明の実施の形態で示す各表示画面には、外国為替証拠金取引に関する他の文字や画像等が記載される場合があるが、本発明の実施の形態と関連性が少ない一部の図示および説明については省略して示す。
【０３２９】
なお、本発明の実施の形態は本発明を具現化するための一例を示したものであり、上述したように特許請求の範囲における発明特定事項とそれぞれ対応関係を有するが、これに限定されるものではなく本発明の要旨を逸脱しない範囲において種々の変形を施すことができる。
【０３３０】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード（memory card）、ブルーレイディスク（Blu-ray Disc（登録商標））
等の記録媒体を用いることができる。
【符号の説明】
【０３３１】
１００  外国為替証拠金取引システム
１１０  銀行
１２０  ＦＸ会社
１３０  専用回線
１４０  ネットワーク
１５０  ユーザ
１６０  外国為替市場
２００  顧客端末
２１０  ＣＰＵ
２２０  ＲＯＭ
２３０  ＲＡＭ
２４０  ＨＤＤ
２５０  操作受付部
２６０  表示部
２７０  通信部
２８０  バス
３００  銀行サーバ
３１０  認証部
３２０  制御部
３３０  主記憶部
３４０  銀行顧客管理情報データベース
３６０  外貨預金口座データベース
３７０  ＦＸサーバ通信制御部
３８０  ネットワーク通信制御部
３９０  表示制御部
４００  ＦＸサーバ
４１０  認証部
４２０  制御部
４３０  主記憶部
４４０  ＦＸ顧客管理情報データベース
４５０  ＦＸ証拠金データベース
４６０  ＦＸ取引実績データベース
４７０  銀行サーバ通信制御部
４８０  ネットワーク通信制御部
４９０  表示制御部
４９４  ロスカット情報保持部
【図１】
0005531128.tif 000002
【図２】
0005531128.tif 000003
【図３】
0005531128.tif 000004
【図４】
0005531128.tif 000005
【図５】
0005531128.tif 000006
【図６】
0005531128.tif 000007
【図７】
0005531128.tif 000008
【図８】
0005531128.tif 000009
【図９】
0005531128.tif 000010
【図１０】
0005531128.tif 000011
【図１１】
0005531128.tif 000012
【図１２】
0005531128.tif 000013
【図１３】
0005531128.tif 000014
【図１４】
0005531128.tif 000015
【図１５】
0005531128.tif 000016
【図１６】
0005531128.tif 000017
【図１７】
0005531128.tif 000018
【図１８】
0005531128.tif 000019
【図１９】
0005531128.tif 000020
【図２０】
0005531128.tif 000021
【図２１】
0005531128.tif 000022
【図２２】
0005531128.tif 000023
【図２３】
0005531128.tif 000024
【図２４】
0005531128.tif 000025
【図２５】
0005531128.tif 000026
【図２６】
0005531128.tif 000027
【図２７】
0005531128.tif 000028
【図２８】
0005531128.tif 000029
【図２９】
0005531128.tif 000030
【図３０】
0005531128.tif 000031
【図３１】
0005531128.tif 000032
【図３２】
0005531128.tif 000033
【図３３】
0005531128.tif 000034
【図３４】
0005531128.tif 000035
【図３５】
0005531128.tif 000036
【図３６】
0005531128.tif 000037
【図３７】
0005531128.tif 000038
【図３８】
0005531128.tif 000039
【図４０】
0005531128.tif 000040
【図４１】
0005531128.tif 000041
【図４２】
0005531128.tif 000042
【図３９】
0005531128.tif 000043